(57)【要約】【課題】歩行中の家族や知人などを走行中に確実に検知して、その検知した家族や知人に対して乗車するか否か勧誘する等の所定の処理を可能にする自動車を提供する。【解決手段】自車の外部の見通しエリアを撮影する１又は複数のカメラと、歩容認識の対象とする対象人物を検出するための歩容情報を記憶する記憶部と、カメラで撮影された画像情報から自車の外部の見通しエリアに存在する人物の歩容を認識すると共に、歩容を認識した人物の内に、記憶部に記憶されている対象人物の歩容と合致する歩容の人物を検出したか否かを判別する歩容認識判別手段と、歩容認識判別手段で、対象人物の歩容と合致する歩容の人物を検出したと判別したときに、所定の処理を行う処理手段とを備える。【選択図】図１
2020107145.tif 000002
【特許請求の範囲】
【請求項１】
自車の外部の見通しエリアを撮影する１又は複数のカメラと、
歩容認識の対象とする対象人物を検出するための歩容情報を記憶する記憶部と、
前記カメラで撮影された画像情報から自車の外部の見通しエリアに存在する人物の歩容を認識すると共に、前記歩容を認識した人物の内に、前記記憶部に記憶されている前記対象人物の歩容と合致する歩容の人物を検出したか否かを判別する歩容認識判別手段と、
前記歩容認識判別手段で、前記対象人物の歩容と合致する歩容の人物を検出したと判別したときに、所定の処理を行う処理手段と、
を備える自動車。
【請求項２】
前記対象人物の登録要求を受け付ける登録要求受付手段と、
前記登録要求受付手段で前記対象人物の登録要求を受け付けたときに、前記カメラにより前記対象人物の歩行を撮影し、撮影した前記対象人物の撮影映像から、前記歩容情報を検出して、前記記憶部に記憶する登録手段と
を備えることを特徴とする請求項１に記載の自動車。
【請求項３】
前記対象人物の登録要求を受け付ける登録要求受付部と、
無線通信部と、
前記登録要求受付部で前記対象人物の登録要求を受け付けたときに、前記カメラにより前記対象人物の歩行を撮影し、撮影した前記対象人物の撮影映像情報を、人物の撮影映像情報から当該人物の歩容情報を検出する歩容検出装置に前記無線通信部を通じて送信し、歩容情報の検出を依頼する依頼手段と、
前記歩容情報の検出の依頼に基づいて前記歩容検出装置から前記無線通信部を通じて送られてくる歩容情報を受信して前記記憶部に記憶する登録手段と、
を備えることを特徴とする請求項１に記載の自動車。
【請求項４】
前記所定の処理は、前記対象人物を検出したことを運転者及び／又は乗車者に報知する報知処理である
である請求項１〜請求項３のいずれかに記載の自動車。
【請求項５】
前記記憶部には、前記歩容情報は、前記対象人物を特定するための情報に対応付けられて記憶されており、
前記報知手段による前記報知には、前記対象人物を特定するための情報が含まれる
ことを特徴とする請求項４に記載の自動車。
【請求項６】
自律走行を行う自動運転モードを備える自動運転車であり、
前記所定の処理は、前記歩容認識判別手段で、前記対象人物を検出したと判別したときに、前記自動運転モードにより、前記検出した前記対象人物の近傍で停止するようにする運転制御処理である
ことを特徴とする請求項１〜請求項５のいずれかに記載の自動車。
【請求項７】
乗車中の人数が自車の乗車定員未満であるか否かを判定する乗車人数判定手段を備え、
前記乗車人数判定手段で乗車中の人数が前記乗車定員未満であると判定されたときに、前記自動運転モードにより、前記検出した前記対象人物の近傍で停止するようにする運転制御処理を行う
ことを特徴とする請求項６に記載の自動車。
【請求項８】
前記所定の処理は、運転者及び／又は乗車者に対して、前記対象人物を検出したことを報知する共に、自車を、前記検出した前記対象人物の近傍で停止させるかを問い合わせる処理である
ことを特徴とする請求項６又は請求項７に記載の自動車。
【請求項９】
前記問い合わせに対して、前記運転者及び／又は前記乗車者から停止させるとの回答を得たときには、前記自動運転モードにより、前記検出した前記対象人物の近傍に停止するようにする運転制御処理を行う
ことを特徴とする請求項８に記載の自動車。
【請求項１０】
前記対象人物を検出したら停止することが事前設定されているか否かを判別する事前設定判別手段を備え、前記事前設定判別手段で、前記対象人物を検出したら停止することが事前設定されていると判別されたときには、前記問い合わせを行うことなく、前記自動運転モードにより、前記検出した前記対象人物の近傍で停止するようにする運転制御処理を行う
ことを特徴とする請求項８に記載の自動車。
【請求項１１】
前記所定の処理を行うに際し、手動運転モードで走行中には、前記自動運転モードに切り替えて、前記検出した前記対象人物の近傍で停止するようにする運転制御処理を行う
ことを特徴とする請求項６〜請求項１０のいずれかに記載の自動車。
【請求項１２】
前記手動運転モードから切り替えられる前記自動運転モードは、手動運転モードに戻す操作があっても、自動運転モードを継続する強制自動運転モードである
ことを特徴とする請求項１１に記載の自動車。
【請求項１３】
車外に音声を放音するためのスピーカを備え、
前記所定の処理は、前記対象人物の近傍で停止したときに、前記対象人物に対して前記スピーカを通じて呼び掛け音声を放音する処理を含む
ことを特徴とする請求項６〜請求項１２のいずれかに記載の自動車。
【請求項１４】
前記記憶部には、前記対象人物が自分に対する呼び掛けであることを認識可能とするための情報が記憶されており、
前記呼び掛け音声には、前記認識可能とするための情報に基づく音声が含まれている
ことを特徴とする請求項１３に記載の自動車。
【請求項１５】
前記呼び掛け音声は、前記対象人物に対して自車への乗車を勧誘する音声メッセージを含む
ことを特徴とする請求項１３又は請求項１４に記載の自動車。
【請求項１６】
前記所定の処理により、前記対象人物の近傍に停止したときに、前記対象人物を確認認証する確認認証手段を備える
ことを特徴とする請求項１３〜請求項１５のいずれかに記載の自動車。
【請求項１７】
前記対象人物の顔画像情報を記憶する顔画像記憶部を備え、
前記確認認証手段は、前記検出した前記対象人物の顔画像情報を前記カメラで撮影された画像情報から取得した前記対象人物の顔画像情報と、前記顔画像記憶部に記憶されている顔画像情報とから、前記顔画像記憶部に前記顔画像情報が記憶されている人物であるか否かにより、前記対象人物を確認するようにする
ことを特徴とする請求項１６に記載の自動車。
【請求項１８】
前記対象人物の音声情報を記憶する音声記憶部を備えると共に、自車の外部の音声を収音するマイクロフォンを備え、
前記確認認証手段は、前記マイクロフォンで収音した、前記検出した前記対象人物の音声情報と、前記音声記憶部に記憶されている音声情報とから、前記音声記憶部に前記音声情報が記憶されている人物であるか否かにより、前記対象人物を確認するようにする
ことを特徴とする請求項１６に記載の自動車。
【請求項１９】
前記確認認証手段により確認された前記対象人物が自車に乗車したときには、前記乗車している前記対象人物は、前記歩容認識により検出すべき対象人物から除外する
ことを特徴とする請求項１６〜請求項１８のいずれかに記載の自動車。
【請求項２０】
自車から降車した前記対象人物は、前記歩容認識により検出すべき対象人物とされる
ことを特徴とする請求項１９に記載の自動車。
【請求項２１】
陸上を走行する陸上モードと、空中を移動する空中モードとを備える空陸両用車であって、
前記記憶部に記憶する、歩容認識の対象とする対象人物を検出するための歩容情報として、前記陸上モード用と、前記空中モード用とを備えると共に、
前記陸上モードと前記空中モードとで、前記歩容認識を行うための画像情報を得るカメラを切り替える
ことを特徴とする請求項１〜請求項２０のいずれかに記載の自動車。
【請求項２２】
携帯通信端末と無線通信を行うための無線通信手段を備え、
前記処理手段は、前記空中モードにおいて、前記歩容認識判別手段で、前記対象人物の歩容と合致する歩容の人物が存在すると判別したときには、前記無線通信手段において前記検出した前記対象人物が所持する前記携帯通信端末と無線通信を行って、自車への乗車の希望があるか否かを問い合わせる
ことを特徴とする請求項２１に記載の自動車。
【請求項２３】
前記処理手段は、前記問い合わせ対して乗車の希望があるとの回答を得たときには、前記空中モードから前記陸上モードに切り替えて、前記検出した前記対象人物の近傍に停止する
ことを特徴とする請求項２２に記載の自動車。
【請求項２４】
前記処理手段は、前記問い合わせ対して乗車の希望はないとの回答を得たときには、前記空中モードを継続する
ことを特徴とする請求項２２又は請求項２３に記載の自動車。
【請求項２５】
前記対象人物からの、当該対象人物の現在位置の情報を含む乗車希望要求を前記無線通信手段を通じて受信したときには、前記対象人物の前記現在位置の情報に基づいて検知される位置近傍において、前記歩容認識判別手段で前記対象人物の歩容と合致する人物が存在するか否かを判別する
ことを特徴とする請求項２２〜請求項２４のいずれかに記載の自動車。
【請求項２６】
携帯通信端末と無線通信を行うための無線通信手段を備え、
前記対象人物からの、当該対象人物の現在位置の情報を含む乗車希望要求を前記無線通信手段を通じて受信したときには、前記対象人物の前記現在位置の情報に基づいて検知される位置近傍において、前記歩容認識判別手段で前記対象人物の歩容と合致する人物が存在するか否かを判別する
ことを特徴とする請求項１〜請求項２０のいずれかに記載の自動車。
【請求項２７】
前記乗車希望要求には、前記現在位置の情報に加えて、前記現在位置からどこに向かうかの情報が含まれており、前記現在位置の情報と、前記現在位置からどこに向かうかの情報から前記対象人物の移動経路を把握することで前記位置近傍を判断し、前記位置近傍において、前記歩容認識判別手段で前記対象人物の歩容と合致する人物が存在するか否かを判別する
ことを特徴とする請求項２５又は請求項２６に記載の自動車。
【請求項２８】
前記記憶部に記憶されている前記対象人物のリストを呈示する手段と、
前記呈示された前記リストの中からの前記対象人物の選択設定を受け付ける選択設定受付手段と、
を備え、
前記歩容認識判別手段は、前記歩容を認識した人物の内に、前記選択設定された対象人物の歩容と合致する歩容の人物が存在するか否かを判別する
ことを特徴とする請求項１〜請求項２７のいずれかに記載の自動車。
【請求項２９】
前記選択設定受付手段は、前記対象人物を検出したときに自車が実行すべき所定の処理の選択設定を受け付けることが可能であり、
前記処理手段は、前記処理設定受付手段で受け付けた前記所定の処理を行う
ことを特徴とする請求項１〜請求項２８のいずれかに記載の自動車。
【請求項３０】
前記選択設定受付手段では、前記自車が実行すべき処理の選択設定は、対象人物を検出したときに、自車を必ず停止するか否かの設定（無条件停止設定）、自車の乗車定員に余裕があるときだけ停止するとの設定、伝言等するために一時停止するとの設定、運転者及び／又は乗車者に問い合わせて停止する設定、又は、停止することなく運転者及び／又は乗車者に報知する設定、の内のいずれかの選択設定である
ことを特徴とする請求項２９に記載の自動車。
【請求項３１】
前記選択設定受付手段は、運転車及び／又は乗車者が乗車する際に起動される
ことを特徴とする請求項２９又は請求項３０に記載の自動車。
【請求項３２】
走行モードが手動運転モードと自動運転モードとに切り替え可能であり、
前記選択設定受付手段は、前記走行モードが切替わったときに起動される
ことを特徴とする請求項２９〜請求項３１のいずれかに記載の自動車。
【請求項３３】
第１の無線通信手段を備える自動車と、前記第１の無線通信手段と無線通信する第２の無線通信手段を備える歩容認識判別装置とを備えるシステムであって、
前記自動車は、
自車の外部の見通しエリアを撮影する１又は複数のカメラと、
前記第１の無線通信手段を通じて、自車の識別情報と前記カメラで撮影した画像情報とを、自車の外部の見通しエリアに存在する人物の歩容を認識する機能を備える歩容認識判別装置に送信すると共に、歩容認識判別要求を送る歩容認識判別要求手段と、
前記歩容認識判別装置から、前記対象人物を検出したか否かを判別結果を前記無線通信手段を通じて受信する受信手段と、
前記受信手段で受信した判別結果が、前記対象人物を検出したとなっていたときに、所定の処理を行う処理手段と、
を備え、
前記歩容認識判別装置は、
歩容認識の対象とする対象人物を検出するための歩容情報を、前記自動車の識別情報と対応付けて記憶する記憶部と、
前記自動車からの自車の識別情報と前記カメラで撮影された画像情報とを、前記第２の無線通信手段を通じて受信する受信手段と、
前記受信手段で受信した前記カメラで撮影された前記画像情報から前記自動車の外部の見通しエリアに存在する人物の歩容を認識すると共に、前記歩容を認識した人物の内に、前記記憶部に前記自動車の識別情報に対応付けられて記憶されている前記対象人物の歩容と合致する歩容の人物が存在するか否かを判別する歩容認識判別手段と、
前記歩容認識判別手段の判別結果を、前記第２の無線通信手段を通じて前記歩容認識判別要求を送ってきた前記自動車に送信する送信手段と、
を備えることを特徴とする歩容認識システム。
【請求項３４】
前記自動車は、
前記歩容認識判別装置の前記記憶部に自車の識別情報と対応付けられて記憶されている前記対象人物のリストを記憶していると共に、前記リストを呈示する手段と、
前記呈示された前記リストの中からの前記対象人物の選択設定を受け付ける選択設定受付手段と、
を備え、前記歩容認識判別要求は、自車の識別情報と前記カメラで撮影した画像情報とに加えて、前記選択設定された前記対象人物の識別情報を含んで、前記第１の無線通信手段を通じて前記歩容認識判別装置に送信され、
前記歩容認識判別装置の前記歩容認識判別手段は、前記歩容を認識した人物の内に、識別情報で特定される前記選択設定された対象人物の歩容と合致する歩容の人物が存在するか否かを判別する
ことを特徴とする請求項３３に記載の歩容認識システム。
【発明の詳細な説明】
【技術分野】
【０００１】
この発明は、自動車及び歩容認識システムに関する。
【背景技術】
【０００２】
自動車の利用の仕方としては、停車中の自動車に、自分の意思で乗降するのが一般的である。この他に、自動車がタクシーの場合には、手を上げるなどして運転者に合図をすることで、運転者に、乗車希望者の近くに自動車を停止してもらって乗降するような態様もある。
【０００３】
また、最近は、運転者が乗車していなくても、自律走行をすることが可能な自動運転車も登場してきており、このような自動運転車の場合には、無線通信機能を搭載することで、携帯電話端末などの携帯端末から自動運転車に呼び寄せ要求をして、乗車希望者が希望する場所に呼び寄せて乗車することができるようにすることも提案されている（例えば特許文献１（特開２０１７−２０４８６７号公報）参照）。
【先行技術文献】
【特許文献】
【０００４】
【特許文献１】特開２０１７−２０４８６７号公報
【発明の概要】
【発明が解決しようとする課題】
【０００５】
ところで、自動車の走行中に、運転者及び／又は乗車者、あるいは自動車自体が、偶然に、進行方向の先の歩道を家族や知人が歩行していることを検知することができた場合には、その家族や知人の脇に自動車を停止させて、乗車するか否か勧誘することができる。特に、その家族や知人が重い荷物を持って歩行している場合やお年寄りである場合に、自動車の運転者及び／又は乗車者、あるいは自動車自体から乗車を勧誘してもらうことができれば、非常に有益となる。
【０００６】
しかしながら、運転者は、進行方向の前方の安全や後方の確認をしながら安全運転に心掛けるように運転をしているので、そのような歩行中の家族や知人を検知することが困難であり、見過ごす場合が多い。
【０００７】
この発明は、以上の点に鑑み、歩行中の家族や知人などを走行中に確実に検知して、その検知した家族や知人に対して乗車するか否か勧誘する等の処理を可能にする自動車を提供することを目的とする。
【課題を解決するための手段】
【０００８】
上記の課題を解決するために、請求項１の発明は、
自車の外部の見通しエリアを撮影する１又は複数のカメラと、
歩容認識の対象とする対象人物の歩容を検出するための歩容情報を記憶する記憶部と、
前記カメラで撮影された画像情報から自車の外部の見通しエリアに存在する人物の歩容を認識すると共に、歩容を認識した人物の中に、前記記憶部に記憶されている前記対象人物の歩容と合致する歩容の人物が存在するか否かを判別する歩容認識判別手段と、
前記歩容認識判別手段で、前記対象人物の歩容と合致する歩容の人物が存在すると判別したときに、所定の処理を行う処理手段と、
を備える自動車を提供する。
【０００９】
歩容認識は、周知のように、約４０〜５０メートル離れた距離から人間の認証をすることができる技術であり、遠方から個人を特定するバイオメトリクスとして注目を集めている。
【００１０】
上述の構成の請求項１の発明の自動車は、歩容認識の対象とする対象人物を検出するための歩容情報が記憶されている記憶部を有している。この発明の自動車においては、歩容認識判別手段により、カメラで撮影された画像情報から自車の外部の見通しエリアに存在する人物の歩容を認識する。歩容認識判別手段は、さらに、歩容を認識した人物の内に、記憶部に記憶されている対象人物の歩容と合致する歩容の人物が存在するか否かを判別する。
【００１１】
そして、歩容認識判別手段で、対象人物の歩容と合致する歩容の人物が存在すると判別したときには、例えば、対象人物を検出したことを運転者又は乗車者に報知したり、停止して乗車を勧誘する等の所定の処理を行う。
【発明の効果】
【００１２】
この発明の自動車によれば、歩容認識（歩容認証）の技術を用いることで、自車が備えているカメラの撮影画像から、予め登録して記憶している対象人物が自車の走行方向の前方又は側方を歩行しているときに、それを検出することができ、その検出結果に応じた所定の処理を行うことができるという顕著な効果を奏する。
【図面の簡単な説明】
【００１３】
【図１】この発明による自動車の実施形態としての自動運転車の一例の電子制御回路部の構成例を示すブロック図である。
【図２】実施形態の自動運転車に、歩容認識の対象とする対象人物を登録する手順の流れを説明するための図である。
【図３】実施形態の自動運転車において、登録された対象人物情報の例を説明するための図である。
【図４】実施形態の自動運転車において、対象人物の歩容認識の事前設定の処理ルーチンの例を説明するためのフローチャートの一部を示す図である。
【図５】実施形態の自動運転車において、対象人物の歩容認識の事前設定の処理ルーチンの例を説明するためのフローチャートの一部を示す図である。
【図６】実施形態の自動運転車において、対象人物を歩容認識により検出するための処理ルーチンの例を説明するためのフローチャートの一部を示す図である。
【図７】実施形態の自動運転車において、対象人物を歩容認識により検出するための処理ルーチンの例を説明するためのフローチャートの一部を示す図である。
【図８】実施形態の自動運転車において、対象人物を歩容認識により検出するための処理ルーチンの例を説明するためのフローチャートの一部を示す図である。
【図９】実施形態の自動運転車において、対象人物を歩容認識により検出するための処理ルーチンの例を説明するためのフローチャートの一部を示す図である。
【図１０】実施形態の自動運転車において、対象人物を歩容認識により検出するための処理ルーチンの例を説明するためのフローチャートの一部を示す図である。
【図１１】実施形態の自動運転車において、対象人物を歩容認識により検出するための処理ルーチンの例を説明するためのフローチャートの一部を示す図である。
【図１２】実施形態の自動運転車において、対象人物を歩容認識により検出するための処理ルーチンの例を説明するためのフローチャートの一部を示す図である。
【図１３】実施形態の自動運転車により対象人物を歩容認識により検出する態様の具体例を説明するための図である。
【図１４】この発明による自動車の他の実施形態としての自動運転車を含むシステムの構成例を説明するためのブロック図である。
【図１５】この発明による自動車の他の実施形態としての空陸両用車により対象人物を歩容認識により検出する態様の具体例を説明するための図である。
【発明を実施するための形態】
【００１４】
以下、この発明による自動車の実施形態を、図を参照しながら説明する。以下に説明する自動車の実施形態は、運転者による手動運転操作に応じて走行を行う手動運転モードと、運転者による運転操作によらずに、自律走行を行うようにする自動運転モードを備える自動運転車の場合である。
【００１５】
なお、この発明による自動車は、この実施形態のような手動運転モードと自動運転モードとを備える自動運転車に限らず、運転者による手動運転操作がなく、自律走行を行うようにする自動運転モードのみを備える自動車（完全自動運転車）であっても、この発明は実施できる。また、自動運転モードを備えず、手動運転モードしか備えない自動車にも、この発明は適用できる。
【００１６】
図１は、この実施形態の自動運転車１の電子制御回路部１０のハードウエア構成例を示すブロック図である。なお、この実施形態の自動運転車１は、電気自動車の場合の例であり、駆動源としてのバッテリー（図示は省略）を搭載している。
【００１７】
また、この実施形態の自動運転車１は、前述したように、手動運転モードと、この実施形態では自律走行を行う自動運転モードとを備えている。手動運転モードは、自動運転車ではない通常の自動車と同様に、運転者のアクセルペダル操作やブレーキペダル操作、シフトレバー操作及びステアリング操作（ハンドル操作）に応じた走行ができるモードである。
【００１８】
また、自動運転モードは、運転者がアクセルペダル操作やブレーキペダル操作、シフトレバー操作及びステアリング操作をしなくても、自動運転車１自身が自動的（自律的）に障害物を回避しながら自律走行するモードである。この自動運転モードにおいては、運転者による所定の所作により、手動運転モードに自動的に切り替えることが可能である。ここで、運転者による所定の所作とは、例えば運転者のアクセルペダル操作やブレーキペダル操作などの運転操作や、運転者の後述するタッチパネルを通じた操作入力や、運転者による音声入力による切替指示の所作を含むものである。
【００１９】
例えば、自動運転車１の運転者による後述するタッチパネル１１２を通じた所定の操作により、手動運転モードで走行中の自動運転車１を自動運転モードに切り替えることができると共に、自動運転モードで走行中に、運転者がアクセルペダル操作やブレーキペダル操作、シフトレバー操作又はステアリング操作などの操作をすると、自動的に手動運転モードに戻るように構成されている。
【００２０】
なお、この実施形態の自動運転車は、後述するように、運転者がアクセルペダル操作やブレーキペダル操作、シフトレバー操作又はステアリング操作などの手動運転モードに戻す操作をしたとしても、自動運転モードを維持する強制自動運転モードを備えている。そこで、以下の説明においては、運転者がアクセルペダル操作やブレーキペダル操作、シフトレバー操作又はステアリング操作などの手動運転モードに戻す操作をしたときに、手動運転モードに切り替えられる自動運転モードを、通常自動運転モードと称することとして、強制自動運転モードと区別するようにする。
【００２１】
図１に示すように、電子制御回路部１０は、コンピュータを搭載して構成されている制御部１０１に対して、システムバス１００を通じて、モータ駆動制御部１０２、ステアリング駆動制御部１０３、手動／自動運転モード切替制御部１０４、ブレーキ駆動制御部１０５、レーダー群１０６、カメラ群１０７、センサ群１０８、周囲移動体把握部１０９、現在位置検出部１１０、表示部１１１、タッチパネル１１２、カーナビゲーション（以下、カーナビと略称する）機能部１１３、対象人物情報登録部１１４、歩容認識判別部１１５、歩容認識判別結果対応処理部１１６、確認認証部１１７、ドア開閉駆動部１１８、音声入出力部１１９、音声メッセージ生成部１２０、のそれぞれが接続されている。なお、歩容認識は、歩容認証とも呼ばれるが、同義として用いる。
【００２２】
モータ駆動制御部１０２には、モータ駆動部１３１が接続されている。ステアリング駆動制御部１０３には、ステアリング駆動部１３２が接続されている。また、手動／自動運転モード切替制御部１０４には、手動操作検知部１３３が接続され、ブレーキ駆動制御部１０５には、ブレーキ駆動部１３４が接続されている。また、カーナビ機能部１１３には、カーナビ用データベース１３５が接続されている。また、対象人物情報登録部１１４には、対象人物情報記憶部１３６が接続されている。
【００２３】
さらに、音声入出力部１１９には、車内用スピーカ１３７、車外用スピーカ１３８及び車内用マイクロフォン１３９、車外用マイクロフォン１４０が接続されている。車内用スピーカ１３７は、自動運転車１の車内に対する音声の放音用であり、また、車外用スピーカ１３８は、自動運転車１の車外に対する音声の放音用である。また、車内用マイクロフォン１３９は、自動運転車１の車内の音声の収音用であり、車外用マイクロフォン１４０は、自動運転車１の車外の音声の収音用である。もちろん、車内用スピーカ１３７と車外用スピーカ１３８の音量や、車内用マイクロフォン１３９と車外用マイクロフォン１４０の感度は可変にできるし、車内外で異ならしめてもよい。例えば、対象人物を発見した場合など、車外用スピーカ１３８の音量を上げ、車外用マイクロフォン１４０の感度を挙げるようにしてもよい。
【００２４】
モータ駆動制御部１０２は、制御部１０１の制御の下に、この実施形態の電気自動車で構成される自動運転車１のモータ駆動部１３１への駆動信号の供給を制御して、自動運転車１の走行開始、走行速度制御（ブレーキ制御及びアクセル制御を含む）、走行停止などを制御するようにする。
【００２５】
ステアリング駆動制御部１０３は、制御部１０１の制御の下に、この実施形態の自動運転車１のステアリング駆動部１３２への駆動制御信号の供給を制御して、自動運転車１の進路変更の制御をするようにする。
【００２６】
手動／自動運転モード切替制御部１０４は、タッチパネル１１２を通じた運転モード選択操作入力に応じて、自動運転車１の運転モードを、手動運転モードと、通常自動運転モードとのいずれかに切り替える制御を行う。
【００２７】
なお、手動／自動運転モード切替制御部１０４が、自動運転車１の運転モードを、手動運転モードと、通常自動運転モードとのいずれかに切り替える制御を行う契機となる入力としては、タッチパネル１１２を通じた選択操作入力に限らず、車内用マイクロフォン１３９を通じた切り替え指示の音声入力であってもよい。音声入力の場合には、車内用マイクロフォン１３９を通じた切り替え指示の音声入力が音声認識され、その認識結果が手動／自動運転モード切替制御部１０４に供給される。手動／自動運転モード切替制御部１０４は、受け取った音声認識結果に基づいて運転モードの切替を行うようにする。
【００２８】
そして、手動操作検知部１３３は、運転者によるアクセルペダル操作やブレーキペダル操作、シフトレバー操作さらにはステアリング操作の操作情報を受けて、その手動運転操作情報を手動／自動運転モード切替制御部１０４に供給する。手動／自動運転モード切替制御部１０４は、通常自動運転モードにおいて、手動操作検知部１３３で、運転者による手動運転操作が手動操作検知部１３４で検知された場合には、手動運転モードに切り替える制御を行う。
【００２９】
ただし、この実施形態では、手動／自動運転モード切替制御部１０４は、強制自動運転モードにおいては、手動運転モードに戻すための所定の操作があっても、その操作指示は無効として、自動運転モード（通常自動運転モード）を維持する。そして、手動／自動運転モード切替制御部１０４は、制御部１０１から、強制自動運転モードの解除指示があったときには、この実施形態では、強制自動運転モードから通常自動運転モードに切り替えるようにする。
【００３０】
手動／自動運転モード切替制御部１０４は、自動運転車１が手動運転モードのときには、手動操作検知部１３３からの手動運転操作情報を、モータ駆動制御部１０２、ステアリング駆動制御部１０３に供給して、モータ駆動部１３１、ステアリング駆動部１３２を、運転者のペダル操作やシフトレバー操作、ステアリング操作（ハンドル操作）に応じて制御する。
【００３１】
また、手動／自動運転モード切替制御部１０４は、自動運転車１が通常自動運転モード及び強制自動運転モードのときには、後述するようにして、レーダー群１０６、カメラ群１０７、センサ群１０８、周囲移動体把握部１０９の出力に基づいて制御部１０１で生成される自動運転操作情報を、モータ駆動制御部１０２、ステアリング駆動制御部１０３に供給して、モータ駆動部１３１、ステアリング駆動部１３２を、自動運転操作情報により駆動制御し、自律走行を行うようにする。なお、通常自動運転モードにおいては、カーナビ機能部１１３において、運転者などにより設定された行先（目的地）に対する現在位置からの経路が探索され、その探索された経路に沿って走行するように制御される。また、強制自動運転モードのときには、後述するように、歩容認識により検出した対象人物に対して呼び掛けが可能な場所に自車を停止させる制御がなされる。
【００３２】
なお、完全自動運転車の場合は、自動運転モードしかないため、手動運転モードと自動運転モードの切替制御は必要なく、手動／自動運転モード切替制御部１０４も手動操作検知部１３３も存在しない。また、完全自動運転車の場合は、常時自動運転であるため、強制自動運転モードという概念も不要となる。
【００３３】
ブレーキ駆動制御部１０５は、制御部１０１の制御の下に、この実施形態の自動運転車１のブレーキ駆動部１３４への駆動制御信号の供給を制御して、自動運転車１の速度を低下させたり、停止させたりする制御をするようにする。
【００３４】
レーダー群１０６は、自動運転車１の車両の周囲に存在する人や物との距離を測るためのもので、１〜複数個のレーザー・レーダー（正式にはＬＩＤＡＲ（Light Detection and Ranging又はLaser Imaging Detection and Ranging；ライダー））やミリ波レーダーなどからなる。レーザー・レーダーは、例えば天井やバンパー付近に埋め込まれ、ミリ波レーダーは、例えば車両の前部及び後部に設けられている。レーザー・レーダーとミリ波レーダーの両方を備えてもよいし、一方のみであってもよい。また、マイクロ波レーダーなど、その他のレーダーを用いてもよい。さらに、レーダーと同様の目的でソナー（図示せず）を用いることができる。
【００３５】
カメラ群１０７は、自動運転車１の車内を撮影する１〜複数個のカメラと、自動運転車１の車外の周囲を撮影する１〜複数個のカメラとを含む。車内を撮影するカメラは、例えば運転席と助手席の間に設置されたバックミラー（後写鏡、ルームミラー）やフロントウインドウの上部などに取り付けられ、運転席に座った人物（運転者）の所作を撮影するカメラの他、助手席や、後部座席に座った乗車者（同乗者）の所作を撮影するためのカメラを含む。
【００３６】
また、自動運転車１の車外の周囲を撮影するカメラは、自車の外部の前方、側方、後方などにおける見通しエリアを撮影するためのもので、例えばバックミラーの左側方及び右側方に取り付けられて、自動運転車１の左前方及び右前方を主として撮影する２台のカメラ（ステレオカメラ）や、自動運転車１の例えばドアミラー又はフェンダーミラーに取り付けられて左右の側方を撮影するカメラ、自動運転車１の後方を撮影するカメラなどを含む。さらには、自動運転車１に、車外の周囲を撮影するカメラを装備したドローンなどの飛行体を設置し（図示せず）、自動運転車１と連携しながら、必要に応じて上空を飛翔し、上空で撮影した画像から歩容認識を行うようにしてもよい。この場合に、ドローンなどの飛行体と自動運転車１とは有線で、あるいは無線で接続することができるようにされており、装備したカメラで撮影した撮影画像は、有線で、あるいは無線で、自動運転車１に送信される。なお、これらのカメラは、夜間の歩容認識を行うため、暗視カメラや赤外線カメラを含んでいてもよい。
【００３７】
センサ群１０８は、ドアの開閉や窓の開閉を検知する開閉検知センサ、シートベルト着用を検出するためのセンサ、運転席や助手席などの座席に乗車者が着座したことを検知する着座センサ（例えば重量センサ）、運転席のハンドルを人がタッチしたことを検知するタッチセンサ（例えば静電容量センサ）などの他、車外の近傍の人物を検知する人感センサ（例えば赤外線センサ）や自動運転のための補助となる情報を取得するための各種センサからなる。自動運転のための補助となる情報を取得するための各種センサとしては、例えば車両やタイヤの振動を検出するための振動センサ、タイヤの回転数を検出する回転数センサ、方位を検出するための地磁気センサ、加速度を検出するための加速度センサ、角度や角速度を検出するためのジャイロセンサ（ジャイロスコープ）、などが含まれる。また、この実施形態では、センサ群１０８には、右ウインカーや左ウインカー（方向指示器）やハザードランプ（非常点滅灯）の点灯を検知するセンサも含まれている。
【００３８】
周囲移動体把握部１０９は、レーダー群１０６やセンサ群１０８、また、カメラ群１０７の撮像画像を用いて、自車の周囲の移動体（人物を含む）を把握するようにする。周囲移動体把握部１０９は、例えばベイズ理論やディープラーニングなどの機械学習に基づいた処理を行うことで、周囲の障害物や移動体を把握するようにする。
【００３９】
現在位置検出部１１０は、ＧＰＳ衛星からの電波を受信して、自車の現在位置を検出する。現在位置検出部１１０は、ＧＰＳ衛星からの電波により検出された位置の精度は悪いので、ＧＰＳ衛星からの電波の受信で検出された現在位置の情報のみではなく、センサ群１０８に含まれる１〜複数個のセンサ及びレーダー群１０６、カメラ群１０７の撮像画像（ナビ機能を併用）などをも用いると共に、例えばベイズ理論やディープラーニングなどの機械学習に基づいた処理を行うことで、より精度の高い現在位置を検出確認するようにしている。
【００４０】
自動運転車１は、自動運転モード（通常自動運転モードと強制自動運転モードとを含む）においては、現在位置検出部１１０や周囲移動体把握部１０９において、レーダー群１０６、カメラ群１０７、センサ群１０８、ＧＰＳ衛星からの電波の受信で取得した位置情報などの各種情報、つまり、人間の目や耳から得る情報に対応する情報をベイズ理論やディープラーニングなどの機械学習により処理し、これに基づき、制御部１０１は、自車の進路変更や障害物の回避など知的な情報処理（人工知能）及び制御（人工知能）を行って、自動運転操作情報を生成する。
【００４１】
表示部１１１は、例えばＬＣＤ（Liquid  Crystal  Display；液晶ディスプレイ）からなる。タッチパネル１１２は、ＬＣＤからなる表示部１１１の表示画面の上に、指やタッチペン等によるタッチ入力が可能なタッチセンサが重畳されて配設されたものである。表示部１１１の表示画面には、制御部１０１の制御に基づき、ソフトウエアボタン（キーボードの文字入力用ボタンを含む）を含む表示画像が表示される。そして、タッチパネル１１２は、表示画面に表示されているソフトウエアボタン上の指やタッチペン等によるタッチを検出すると、そのタッチを制御部１０１に伝達する。これを受けた制御部１０１は、ソフトウエアボタンに対応する制御処理を実行するように構成されている。もちろん、表示部は複数あってもよく、さらに外部に向けての表示部と、自動運転車１の車体や窓ガラスに設置することは可能である。
【００４２】
カーナビ機能部１１３に接続されているカーナビ用データベース１３５には、国内の地図及び経路案内データが、予め格納されている。カーナビ機能部１１３は、カーナビ用データベース１３５に記憶されている地図や、経路案内データに基づいて、自動運転車１が指定された目的地まで移動するのを補助するように案内するための機能部である。この実施形態では、カーナビ機能部１１３は、手動運転モードと、通常自動運転モードとで、若干異なる処理をするように構成されている。
【００４３】
すなわち、手動運転モードにおいては、カーナビ機能部１１３は、表示部１１１の表示画面上において、目的地までの経路（ルート）を明示的に表示する地図上に、現在位置検出部１１０で検出確認されている自車位置を重畳表示した画像を表示すると共に、自車の移動に伴い、地図上の自車位置（現在位置）を移動させ、かつ、ルート上の交差点や分岐点など、経路案内が必要な箇所で音声案内をするようにする。これは、通常のカーナビ機能と同様である。
【００４４】
一方、通常自動運転モードにおいては、カーナビ機能部１１３は、自車の現在位置が目的地までのルート上から離れているときには、その離間方向及び距離の情報を制御部１０１に通知すると共に、自車の現在位置が目的地までのルート上に在るときには、自車の移動に伴い、ルート上の交差点や分岐点などの手前で、ルートに沿った進路方向の変更指示情報を制御部１０１に通知するようにする。制御部１０１は、このカーナビ機能部１１３からの通知された情報と、現在位置検出部１１０の現在位置確認結果及び周囲移動体把握部１０９の把握結果とに基づいて、自車がルート上を指示された通りの進路をとって移動するように、モータ駆動制御部１０２を通じてモータ駆動部１３１を制御すると共に、ステアリング駆動制御部１０３を通じてステアリング駆動部１３２を制御するための自動運転操作情報を生成する。したがって、通常自動運転モードにおけるカーナビ機能部１１３及び制御部１０１による目的地までの経路案内により、乗車者が無人の状態においても、自動運転車１は、目的地まで移動することができる。
【００４５】
対象人物情報登録部１１４は、この実施形態の自動運転車１の利用者、例えば家族構成員や、当該自動運転車１を共用するグループ構成員など、歩容認識をすべき対象人物の情報の登録入力を受け付けて、対象人物情報記憶部１３６に記憶して登録するようにする。対象人物情報としては、歩容認識判別に用いられる歩容認識用の情報の他、対象人物の識別情報及び呼び掛けられたときに対象人物が気付くようにするための情報などと、当該対象人物が自車に乗車しようとする際における確認認証用の情報も含まれる。
【００４６】
歩容認識用の情報は、この実施形態では、対象人物の歩容情報と歩容認識補助情報とが含まれる。対象人物情報登録部１１４は、カメラによる撮影画像から対象人物の歩行シルエット画像を抽出し、当該歩行シルエット画像を解析することで、対象人物の歩幅、手足の振り、姿勢、歩行周期、動きの左右非対称性などを特徴量とした歩容情報を生成し、対象人物の識別情報に対応付けて対象人物情報記憶部１３６に記憶する。歩容認識補助情報は、例えば、対象人物の身長や、頭部や肌のテクスチャー情報などであり、歩容認識の認識率を向上させるための情報である。対象人物情報登録部１１４は、この歩容認識補助情報を、対象人物による入力により、あるいは、カメラの撮影画像情報から取得して、対象人物の識別情報に対応付けて対象人物情報記憶部１３６に記憶する。
【００４７】
なお、歩容情報のみでの歩容認識（歩容認証）でも、個人を９４〜９５％の確度で認証することができるが、歩容認識補助情報を用いれば、認証率を９９％にすることができるという報告（例えば、日本科学未来館の新展示：顔認証より高精度！？「歩き方」で個人を特定できる「歩容認証」とは；http://monoist.atmarkit.co.jp/mn/article/1507/17/news037.html参照）がある。この対象人物情報登録部１１４における登録処理及び対象人物情報については、後で詳述する。
【００４８】
対象人物が自車に乗車しようとする際における確認認証用の情報としては、この実施形態では、対象人物の顔画像あるいは発声音声、指紋、静脈、虹彩などの生体情報が用いられる。確認認証用情報としては、顔画像や発声音声などの生体情報に限られる訳ではなく、電話番号やメールアドレス、パスワードや合言葉などであってもよい。また、自動運転車１の鍵を確認認証用情報としてもよいし、非接触ＩＣカードを内蔵したスマートフォンを自動運転車１の所定の位置にかざし、自動運転車１がこの非接触ＩＣカードに記録された確認認証用情報を用いるようにしてもよい。さらには、スマートフォンの代わりに、腕時計型端末であってもよい。
【００４９】
歩容認識判別部１１５は、この実施形態では、歩容認識に先立ち、運転者及び／又は乗車者による検出すべき対象人物の選択設定を受け付ける機能を備える。すなわち、この実施形態の自動運転車１では、運転者及び／又は乗車者は、検出すべき対象人物を、登録されている対象人物の中の特定の１人又は複数人の人物を選択設定することができる。登録されている対象人物の全てを、検出すべき対象人物として選択設定することも勿論できる。なお、この実施形態の自動運転車１が、運転者及び／又は乗車者が存在せずに無人の状態で通常自動運転モードで自律走行するときには、対象人物情報記憶部１３６に記憶されて登録されている対象人物の全てが、検出すべき対象人物として自動的に設定される。
【００５０】
なお、この実施形態の自動運転車１は、対象人物が乗車したときには、その人物を確認認証部１１７で認証するように構成されているので、既に乗車している対象人物は認識することができる。そこで、既に乗車している対象人物は、歩容認識により検出すべき対象人物から除外されるように構成されている。もちろん、対象人物が降車した場合、いったん、歩容認識により検出すべき対象人物から除外されても、降車と同時に、歩容認識により検出すべき対象人物となる。
【００５１】
歩容認識判別部１１５は、この例では、カメラ群１０７の内の車外の見通しエリアを撮影する１又は複数のカメラからの撮影画像情報から、当該撮影画像に含まれる人物のそれぞれの歩幅、手足の振り、姿勢、歩行周期、動きの左右非対称性などを特徴量とした歩容情報を抽出し、対象人物情報記憶部１３６に記憶されている登録されている対象人物の内の、検出すべき対象人物として設定されている対象人物の歩容情報と比較して歩容認識をし、検出すべき対象人物の歩容と合致する歩容の人物を検出したか否かを判別する。この場合に、この実施形態の歩容認識判別部１１５は、歩容認識補助情報をも用いて歩容認識を行うのは言うまでもない。また、歩行中の対象人物が自動運転車１に向かって歩いてくる場合には、顔認識を併用するようにしてもよい。
【００５２】
歩容認識判別部１１５は、上述した歩容認識判別により、対象人物情報記憶部１３６に記憶されている登録されている対象人物の歩容と合致する歩容の人物を検出したときには、検出した人物の歩容と合致する歩容を有する対象人物の識別情報を含めて、検出対象人物を検出したとの判別結果を、システムバス１００を通じて歩容認識判別結果対応処理部１１６に転送する。
【００５３】
歩容認識判別結果対応処理部１１６は、歩容認識判別部１１５からの判別結果を受けて、所定の処理を行う。この実施形態では、歩容認識判別結果対応処理部１１６は、後述するように、運転者又は乗車者あるいは自車のオーナーなどによる検出対象とする対象人物の選択の設定入力と、所定の処理に関する設定入力を受け付ける機能を備えており、所定の処理としてどのような処理を行うのかは、その設定入力に基づいて決定する。
【００５４】
歩容認識判別結果対応処理部１１６は、上記の設定入力を、自動運転車１の運転モードが手動運転モードの場合は勿論のこと、自律走行を行う通常自動運転モードであっても、運転者及び／又は乗車者が乗車している場合には、そのまま有効として取り扱う。
【００５５】
ただし、歩容認識判別結果対応処理部１１６は、運転者及び／又は乗車者が存在せず、無人の状態で通常自動運転モードにより自律走行をしているときには、検出対象とする対象人物の選択の設定入力は有効とされるが、所定の処理は、無人の通常自動運転モードに適する処理を行うようにする。すなわち、この実施形態では、無人の通常自動運転モードにおいて歩容認識により対象人物を検出したときには、所定の処理として、検出した人物の近傍に停止し、検出した人物に対する呼び掛けを行って、乗車することを勧誘するメッセージを送出し、検出した人物から乗車するとの回答を得たときには、確認認証部１１７で当該人物が対象人物であることを確認認証した上で、ドア開閉駆動部１１８を駆動制御してドアを開閉し、当該人物の乗車を許可するようにする。
【００５６】
なお、後述もするように、歩容認識判別結果対応処理部１１６は、検出した対象人物の近傍で自車を停止させると設定されている場合には、運転モードが手動運転モードであるか、通常自動運転モードであるかに関わらず、強制自動運転モードに切り替えて、自車を停止させるようにする。
【００５７】
なお、強制自動運転モードとせずに、通常自動運転モードのまま検出した対象人物の近傍で、停止するように制御してもよい。ただし、その場合には、運転者が手動操作をして、手動運転モードに切り替えて、検出した対象人物の近傍で停止させずに、通過してしまうような態様を許すことになるが、そのように構成してもよい。そのように構成した場合には、例えば、病人を病院に運んでいる途中など、先を急ぐ場合などに便利である。なお、運転者及び／又は乗車者が存在するか、無人であるかは、カメラ群１０７の内の車内を撮影するカメラの撮影画像を監視することにより、容易に把握することができる。ドアの開閉と降車者、乗車者を監視することも併せて用いるようにしてもよい。
【００５８】
この歩容認識判別結果対応処理部１１６に対する設定入力の処理及び歩容認識により対象人物を検出したときの所定の処理については後で詳述する。
【００５９】
確認認証部１１７は、歩容認識判別部１１５で検出した対象人物が、自車に乗車しようとする際における確認認証を行う。この実施形態では、対象人物情報記憶部１３６には、この実施形態では、登録された対象人物の顔画像及び／又は発声音声が確認認証用の情報として記憶されている。確認認証部１１７は、この実施形態では、顔画像認証用の画像認識機能部と、発声音声認証用の音声認識機能部とを備えている。
【００６０】
確認認証部１１７の画像認識機能部は、カメラ群１０７の内のカメラで撮影された乗車しようとしている歩容認識判別部１１５で検出された人物の顔画像と、対象人物情報記憶部１３６に記憶されている対象人物の顔画像との一致／不一致により確認認証を行う。また、確認認証部１１７の音声認識機能部は、マイクロフォン１４０で収音された乗車しようとしている歩容認識判別部１１５で検出された人物の発声音声と、対象人物情報記憶部１３６に記憶されている対象人物の発声音声との一致／不一致により確認認証を行う。
【００６１】
前述したように、確認認証部１１７における認証結果は、歩容認識判別＝結果対応処理部１１６に渡されて、歩容認識判別部１１５で検出された人物の乗車を許可するか否かの判断に用いられる。
【００６２】
なお、乗車をしようとする者の指紋により確認認証を行うこともでき、その場合には、自動運転車１には、指紋読み取り装置が設けられると共に、対象人物情報記憶部１３６には、対象人物の指紋が記憶され、確認認証部１１７は、指紋認識機能を備えるものとして構成されて、記憶されていた指紋と、指紋読み取り装置により取得された指紋との一致／不一致を判定することで、確認認証が行われる。確認認証には、静脈、虹彩、声紋、その他の生体情報を用いることでき、それらの場合も、同様の構成の変更により可能となる。もちろん、これらの顔画像、音声、指紋などの生体情報を組み合わせて記憶し、確認認証に用いてもよい。
【００６３】
さらには、乗車しようする者が自動運転車１の鍵を保持することにより確認認証を行うこともできる。また、前述したように、非接触ＩＣカードを内蔵したスマートフォンを自動運転車１の所定の位置にかざすことにより確認認証を行うこともできる。さらには、スマートフォンの代わりに、腕時計型端末であってもよい。
【００６４】
ドア開閉駆動部１１８は、自車のドアを自動で開閉するための駆動部である。タッチパネル１１２や、その他のボタン操作に応じて、制御部１０１からの開閉命令に応じて、ドア開閉駆動部１１８は駆動制御されるほか、前述したように、歩容認識判別結果対応処理部１１６からの開閉命令に応じて駆動制御される。ドアは、スライド式のものであってもよいし、旋回開閉式のものであってもよい。
【００６５】
音声入出力部１１９は、車内用マイクロフォン１３９又は車外用マイクロフォン１４０で収音した音声を取り込んで、例えば音声認識処理のためにシステムバス１００に送出するようにする。また、音声入出力部１１９は、車内や外部に放音する音声メッセージデータを、音声メッセージ生成部１２０から受け取り、アナログ音声信号に変換する音声合成器やＤ−Ａ変換器を内蔵している。そして、音声入出力部１１９は、制御部１０１の制御により、変換されたアナログ音声信号を車内用スピーカ１３７又は車外用スピーカ１３８に供給して、音声として放音するようにする。
【００６６】
音声メッセージ生成部１２０は、制御部１０１の制御により、運転者及び／又は乗車者に対して放音するための音声メッセージ情報を生成し、また、歩容認識により検出した対象人物に対して呼び掛けを行う呼び掛け音声メッセージを生成して、音声入出力部１１９に送出する。
【００６７】
対象人物情報記憶部１３６には、対象人物が自分に対する呼び掛けであることを認識可能とするための情報として、例えば呼び掛け名称（愛称）が記憶されており、音声メッセージ生成部１２０は、この記憶されている対象人物の呼び掛け名称と雛形音声メッセージとを合成して、必要な音声メッセージを生成するようにする。もちろん、対象人物の呼び掛け名称は。愛称に限られるものではなく、本名やファーストネーム、イニシャルや番号であってもよい。
【００６８】
例えば、運転者及び／又は乗車者に対して対象人物を検出したことを報知する音声メッセージの場合には、雛形音声メッセージとして「○○○○を検出しました。」というメッセージ情報を用意しておくと共に、対象人物情報記憶部１３６から、検出した対象人物の呼び掛け名称の情報を取得して、当該呼び掛け名称が「みこちゃん」であるときには、「○○○○」の部分に「みこちゃん」を挿入して、「みこちゃんを検出しました。」という音声メッセージを生成する。
【００６９】
音声メッセージ生成部１２０は、その他の雛形音声メッセージとして、車内向けに「○○○○のところで停止して、乗車をさせますか？」などが、車外向けに「○○ー○！乗ってゆきますか？」などが、用意されている。例えば、検出した対象人物の呼び掛けが「みこちゃん」であるときには、車内向けとしては「みこちゃんのところで停止して、乗車をさせますか？」などとされ、車外向けとしては、「みこちゃーん！乗ってゆきますか？」などとされている。
【００７０】
以上のように、自動運転車１の電子制御回路部１０は構成される。なお、上述の説明では、図１に示した、モータ駆動制御部１０２、ステアリング駆動制御部１０３、手動／自動運転モード切替制御部１０４、周囲移動体把握部１０９、現在位置検出部１１０、カーナビ機能部１１３、対象人物情報登録部１１４、歩容認識判別部１１５、歩容認識判別結果対応処理部１１６、確認認証部１１７、音声メッセージ生成部１２０は、各部がそれぞれソフトウェアプログラムを用いる処理機能部の構成とすることができ、それぞれの機能を実行するプログラムを制御部１０１に設けることで、それぞれをソフトウエア処理として実現することができる。なお、上記の各部の全てをプログラムによる処理機能とするのではなく、一部は、ハードウエアの構成部として構成してもよいことは言うまでもない。
【００７１】
［対象人物情報登録部１１４における対象人物情報登録手順の例］
図２は、対象人物情報登録部１１４における対象人物情報登録手順の流れの一例を示す図である。
【００７２】
先ず、対象人物あるいは登録補助者は、表示部１１１に表示されている自動運転車１の機能メニューの中から、対象人物情報登録の項目を選択することで、対象人物情報の登録要求を自動運転車１に対して行う（手順Ｓ１）。
【００７３】
この対象人物情報の登録要求に対しては、制御部１０１は、表示部１１１の表示画面に表示した指示メッセージにより、及び／または、スピーカ１３７，１３８からの放音メッセージにより、対象人物の歩容情報を検出するための所作を対象人物に対して指示する（手順Ｓ２）。この指示は、具体的には、カメラ群１０７の内の所定のカメラで対象人物の歩行状態を撮影するために、対象人物に歩行を行ってもらうようにする指示である。この場合に、対象人物に、自動運転車１の左側を、自車の後方から前方に向かって歩行してもらうシーンの他、自車の前方から後方に向かって逆向きに歩行してもらう、さらには、左斜め方向やその逆方向、右斜め方向やその逆方向、左から右に横切る方向、右から左に横切る方向など、複数の歩行態様を指示するようにするものとなる。対象人物に対する歩行態様の指示は、これらに限られるものではなく、多種多様な歩行態様を指示できることはもちろんである。なお、自車の前方から後方に向かって逆向きに歩行してもらう場合や斜め方向の歩行や左右に横切る歩行の場合は、対象人物の顔画像も同時に撮影できるため、歩容情報と共に顔画像も登録することができる。
【００７４】
また、晴れの日、曇りの日、雨の日、雪の日と区分して登録することも可能で、日中と夜間とで区分して登録することも可能である。また、屋内と屋外とで区分して登録することも可能である。さらに拡張すれば、歩行のみならず走行状態を登録することもできる。なお、日中と夜間とで区分して登録する場合、日中は通常のカメラで撮影し、夜間は赤外線カメラで撮影するようにしてもよい。
【００７５】
この手順Ｓ２の指示に従って対象人物が歩行をしたら、制御部１０１は、カメラ群１０７の所定のカメラにより対象人物の歩行を動画撮影して、その撮影画像情報を対象人物情報登録部１１４に送るようにする（手順Ｓ３）。そして、制御部１０１は、対象人物の歩容情報の検出が可能になるに十分な情報が取得できたか否かを判断する（手順Ｓ４）。そして、制御部１０１は、対象人物の歩容情報の検出が可能になるに十分な情報が取得できるまで、手順Ｓ２及び手順Ｓ３を繰り返すようにする。
【００７６】
次に、手順Ｓ４で、対象人物の歩容情報の検出が可能になるに十分な情報が取得できたと判別したときには、制御部１０１は、対象人物情報登録部１１４に歩容情報の抽出処理開始指示を行い、当該対象人物の歩幅、手足の振り、姿勢、歩行周期、動きの左右非対称性などの特徴量を、当該対象人物の歩容情報として検出させ、保持させる（手順Ｓ５）。
【００７７】
次に、制御部１０１は、対象人物に対して、歩容認識補助情報となる身長や性別などの入力を促して、その入力情報を取得すると共に、歩容認識補助情報としての対象人物の頭部や肌のテクスチャーをカメラの撮像画像から取得して、対象人物情報登録部１１４に保持させる（手順Ｓ６）。
【００７８】
次に、制御部１０１は、対象人物に対して、確認認証用の情報の提供を促し、それに応じた対象人物の顔画像や発声音声の情報を取得し、対象人物情報登録部１１４に保持させる（手順Ｓ７）。
【００７９】
さらに、制御部１０１は、対象人物に対して、自分に対する呼び掛けであることを認識可能とするための情報の例としての呼び掛け名称（愛称）の入力を促し、それに応じた対象人物により入力された呼び掛け名称（愛称）の情報を取得し、対象人物情報登録部１１４に保持させる（手順Ｓ８）。
【００８０】
そして、最後に制御部１０１は、対象人物に対して識別情報を付与し、対象人物情報登録部１１４に、保持している対象人物の歩容情報と、歩容認識補助情報と、確認認証用情報と、呼び掛け名称（愛称）の情報とを、対象人物情報記憶部１３６に、当該対象人物の識別情報と対応付けて記憶するように指示し、記憶を実行させる（手順Ｓ９）。
【００８１】
以上で、対象人物情報の登録が完了となる。この対象人物情報の登録は、例えば自動運転車１が、個人用の場合には、その家族構成員のそれぞれについて行われる。また、カーシェアリングなど、グループで自動運転車１が共同で使用されるような態様では、そのグループを構成するグループ構成員のそれぞれについて行われる。なお、対象人物情報の登録作業については、自動運転車１が行うだけに限らず、家族構成員やグループ構成員が、それぞれの歩行（あるいは走行）をスマートフォンやビデオカメラ等で撮影記録し、その記録情報を自動運転車１に送信するようにしてもよい。なお、撮影記録は、ドローン（無人飛行体）が、対象人物に追従して飛行移動ながら、自機に搭載したカメラで行ってもよい。
【００８２】
このようにして対象人物情報が記憶された対象人物情報記憶部１３６の記憶情報内容の例を図３に示す。この図３の例は、家族構成員が対象人物として登録されている例であり、父親、母親、娘、兄の４人のそれぞれの対象人物情報が登録されて記憶されている様子を示している。
【００８３】
［対象人物の歩容認識の事前設定について］
この実施形態の自動運転車１においては、対象人物の歩容認識の実行を開始するに先立ち、メニューから、運転者及び／又は乗車者による事前設定を受け付けることができるように構成されている。事前設定の項目は、
（１）歩容認識により検出する対象人物の選択設定
（２）対象人物を検出したときに実行する所定の処理の設定
である。
【００８４】
（１）に関しては、検出対象を、対象人物情報記憶部１３６に記憶されている対象人物の全員とする設定、あるいは、全員ではなく１〜複数人の選択した対象人物とするとの設定とが可能とされている。
【００８５】
また、（２）に関しては、対象人物を検出したときに、自車を必ず停止するか否かの設定（無条件停止設定）、自車の乗車定員に余裕があるときだけ停止するとの設定、伝言等するために一時停止するとの設定、運転者及び／又は乗車者に問い合わせて停止する設定、あるいは、停止することなく運転者及び／又は乗車者に報知する設定、が可能とされている。また、対象者の身長など、歩容認識補助情報を設定することもできる。
【００８６】
この事前設定の受付機能は、自動運転車１に運転者及び／又は乗車者が乗車する際に、運転者及び／又は乗車により設定メニューから選択されたり、事前設定受付ボタンの操作がなされることに起因して起動される。
【００８７】
なお、自動運転車１が、運転車及び／又は乗車者が乗車したことを検知したときには、常に自動的に起動するように予め自動運転車１にデフォルトで事前設定されていてもよい。また、この事前設定の受付機能は、運転車及び／又は乗車者が乗車する際に起動される場合に限られるものではなく、手動運転モードから自動運転モードに切替ったときや、自動運転モードから手動運転モードに切り替わったときなど、走行モードが切替わったときに、事前設定をするか否かの問い合わせを運転車及び／又は乗車者にして、事前設定の受け付けをするように構成してもよい。さらに、走行モードが切り替わったときに事前設定を受け付ける場合に限らず、すでに事前設定されている場合に、設定変更を受け付けることができるようにしてもよい。なお、事前設定をするか否かや、設定変更するか否かの運転者及び／又は乗車者への問い合わせを行うことなく、事前設定を受け付けるように構成しても勿論よい。
【００８８】
以下に、この実施形態における対象人物の歩容認識の事前設定の処理ルーチンの一例を、図４及び図５のフローチャートを参照して説明する。対象人物の歩容認識の事前設定の機能は、歩容認識判別部１１５に含まれるが、図４及び図５の例についての以下の説明においては、歩容認識判別部１１５が、制御部１０１が備えるソフトウェアプログラムによる機能ブロックとされる場合として、各ステップの動作は、制御部１０１が実行するものとして説明する。
【００８９】
先ず、制御部１０１は、表示部１１１の表示画面に機能メニューをリスト表示する（ステップＳ１１）。そして、制御部１０１は、この機能メニューのリスト表示から対象人物の歩容認識の事前設定の項目が選択されたか否か判別する（ステップＳ１２）。
【００９０】
このステップＳ１２で、機能メニューのリスト表示から対象人物の歩容認識の事前設定の項目以外の他の項目が選択されたと判別したときには、制御部１０１は、当該選択された他のメニュー項目用の処理ルーチンへ移行し、その処理ルーチンを実行する。
【００９１】
ステップＳ１２で、機能メニューのリスト表示から対象人物の歩容認識の事前設定の項目が選択されたと判別したときには、制御部１０１は、対象人物情報記憶部１３６に記憶されている対象人物のリストを表示画面に表示し、歩容認識の検出対象とする対象人物の選択指定を促す（ステップＳ１４）。この歩容認識の検出対象とする対象人物の選択指定の際に、対象人物情報記憶部１３６から対象人物の顔画像の情報を読み出して、表示部１１１の表示画面に当該対象人物の顔画像を表示して、対象人物の選択及び特定のために参照することができるようにしてもよい。
【００９２】
そして、制御部１０１は、対象人物情報記憶部１３６に記憶されている対象人物の全員を歩容認識の検出対象とすることが選択されたか否か判別し（ステップＳ１５）、全員を歩容認識の検出対象とすることが選択されたと判別したときには、全員を歩容認識の検出対象とするように設定をする（ステップＳ１６）。
【００９３】
また、ステップＳ１５で、全員を歩容認識の検出対象とすることが選択されてはいないと判別したときには、制御部１０１は、歩容認識の検出対象とする対象人物の個別選択を受け付け（ステップＳ１７）、選択された対象人物を歩容認識の検出対象とするように設定をする（ステップＳ１８）。このときの選択人数は、一人に限らず複数人であってもよい。
【００９４】
ステップＳ１６での設定が終了したら、また、ステップＳ１８での設定が終了したら、制御部１０１は、「歩容認識により対象人物を検出したら必ず停止する」との設定が選択されか否か判別し（ステップＳ１９）、「歩容認識により対象人物を検出したら必ず停止する」との設定が選択されたと判別したときには、無条件停止を設定する（ステップＳ２０）。
【００９５】
このステップＳ２０の次には、制御部１０１は、歩容認識の実行指示を受けたか否か判別し（図５のステップＳ３９）、実行指示を受けたと判別したときには、歩容認識による対象人物の検出処理ルーチンを起動し（ステップＳ４０）、この図４及び図５の処理ルーチンを終了する。
【００９６】
ステップＳ３９で実行指示を受けてはいないと判別したときには、制御部１０１は、この設定の処理ルーチンを中止するとの指示入力を受け付けたか否か判別し（ステップＳ４１）、中止するとの指示入力を受け付けたと判別したときには、制御部１０１は、この処理ルーチンを終了する。そして、ステップＳ４１で中止するとの指示入力は受け付けてはいないと判別したときには、制御部１０１は、処理を図４のステップＳ１９に戻し、このステップＳ１９以降の処理を繰り返す。
【００９７】
そして、ステップＳ１９で、「歩容認識により対象人物を検出したら必ず停止する」との設定は選択されていないと判別したときには、制御部１０１は、自車の乗車定員を考慮して停止するとの設定が選択されたか否か判別する（図５のステップＳ３１）。このステップＳ３１で、「自車の乗車定員を考慮して停止する」との設定が選択されたと判別したときには、制御部１０１は、更に、「運転者及び／又は乗車者への問い合わせは必要」との設定が選択されか否か判別する（ステップＳ３２）。
【００９８】
このステップＳ３２で、「運転者及び／又は乗車者への問い合わせは必要」との設定が選択されたと判別したときには、制御部１０１は、「乗車定員条件付停止・問い合わせ要」を設定する（ステップＳ３３）。また、ステップＳ３２で、「運転者及び／又は乗車者への問い合わせは不要」との設定が選択されかと判別したときには、制御部１０１は、「乗車定員条件付停止・問い合わせ不要」を設定する（ステップＳ３４）。そして、このステップＳ３３の次には、また、ステップＳ３４の次には、ステップＳ３９に進んで、前述したこのステップＳ３９以降の処理を繰り返す。
【００９９】
また、ステップＳ３１で、「自車の乗車定員を考慮して停止する」との設定が選択されてはいないと判別したときには、制御部１０１は、「運転者及び／又は乗車者に問い合わせて停止するか否かを決定する」という設定が選択されたか否か判別する（ステップＳ３５）。このステップＳ３５で、「運転者及び／又は乗車者に問い合わせて停止するか否かを決定する」という設定が選択されたと判別したときには、制御部１０１は、「問い合わせ条件付停止」を設定する（ステップＳ３６）。そして、このステップＳ３６の次には、処理をステップＳ３９に進め、上述したステップＳ３９以降の処理を実行する。
【０１００】
そして、ステップＳ３５で、「運転者及び／又は乗車者に問い合わせて停止するか否かを決定する」という設定が選択されなかったと判別したときには、制御部１０１は、「歩容認識により対象人物を検出したときには、その検出を報知だけする」という設定が選択されたか否か判別する（ステップＳ３７）。
【０１０１】
そして、このステップＳ３７で、「歩容認識により対象人物を検出したときには、その検出を報知だけする」という設定が選択されたと判別したときには、制御部１０１は、「対象人物の検知報知のみ」を設定する（ステップＳ３８）。そして、このステップＳ３８の次には、処理をステップＳ３９に進め、上述したステップＳ３９以降の処理を実行する。
【０１０２】
また、ステップＳ３７で、「歩容認識により対象人物を検出したときには、その検出を報知だけする」という設定が選択されてはいないと判別したときには、制御部１０１は、処理をステップＳ４１に進めて、この設定の処理ルーチンを中止するとの指示入力を受け付けたか否か判別し（ステップＳ４１）、中止するとの指示入力を受け付けたと判別したときには、この処理ルーチンを終了する。そして、ステップＳ４１で中止するとの指示入力は受け付けてはいないと判別したときには、制御部１０１は、処理を図４のステップＳ１９に戻し、このステップＳ１９以降の処理を繰り返す。
【０１０３】
［歩容認識による対象人物の検出の処理］
次に、図５のステップＳ４０において起動される歩容認識による対象人物の検知の処理の流れの例を、図６〜図１０に示すフローチャートを参照しながら説明する。この歩容認識による対象人物の検知の処理は、歩容認識判別部１１５で、上述の図４及び図５を用いて説明した設定に引き続いて実行されるが、以下の説明においては、歩容認識判別部１１５が、制御部１０１が備えるソフトウェアプログラムによる機能ブロックの構成とされる場合として、各ステップの動作は、制御部１０１が実行するものとして説明する。
【０１０４】
制御部１０１は、まず、検出対象は、対象人物情報記憶部１３６に記憶されている対象人物の全員であるか否か判別する（図６のステップＳ５１）。このステップＳ５１で、検出対象は、対象人物情報記憶部１３６に記憶されている対象人物の全員であると判別したときには、制御部１０１は、記憶されている対象人物の全員を検出対象として歩容認識による検出を開始する（ステップＳ５２）。また、ステップＳ５１で、検出対象は、対象人物情報記憶部１３６に記憶されている対象人物の全員ではないと判別したときには、選択指定された対象人物を認定し、その認定して対象人物のみを検出対象として歩容認識による対象人物の検出を開始する（ステップＳ５３）。
【０１０５】
ステップＳ５２の次には、また、ステップＳ５３の次には、制御部１０１は、自車の現在の運転モードは、通常自動運転モードか、あるいは、手動運転モードかを判別する。このステップＳ５４で、手動運転モードであると判別したときには、歩容認識による対象人物の検出を実行して、対象人物を検出したか否かを判別する（ステップＳ５５）。このステップＳ５５で、対象人物を検出してはいないと判別したときには、制御部１０１は、処理をステップＳ５４に戻し、このステップＳ５４以降の処理を繰り返す。なお、このステップＳ５５では、歩容情報とともに顔画像が登録されている場合は、対象人物の検出に顔画像認識を併用してもよい。
【０１０６】
ステップＳ５５で、対象人物を検出したと判別したときには、制御部１０１は、運転モードが手動運転モードであるので運転者が存在していると認定し、検出した対象人物の呼び掛け名称（愛称）を対象人物情報記憶部１３６から取得して、検出した対象人物が誰であるかを運転者に報知する（ステップＳ５６）。このときの報知は、音声による呼び掛け名称による報知に加えて、対象人物情報記憶部１３６から検出した対象人物の顔画像の情報を読み出して、表示部１１１の表示画面に、当該対象人物の顔画像を表示して報知するようにしてもよい。
【０１０７】
次に、制御部１０１は、事前設定により、無条件停止が設定されているか否か判別する（ステップＳ５７）。このステップＳ５７で、無条件停止が設定されていると判別したときには、制御部１０１は、強制自動運転モードに切り替えて停止することを運転者に報知し（ステップＳ５８）、その後、手動運転モードから強制自動運転モードへの切り替え及び検出した対象人物の近傍で自車を停止させるようにする制御を実行する（ステップＳ５９）。
【０１０８】
次に、制御部１０１は、自車が停止したか否かを判別し（ステップＳ６０）、停止していないと判別したときには、処理をステップＳ５９に戻し、停止制御を実行する。そして、ステップＳ６０で、自車が停止したと判別したときには、制御部１０１は、強制自動運転モードを解除して、運転モードを通常自動運転モードに切り替える（図７のステップＳ７１）。
【０１０９】
次に、制御部１０１は、音声メッセージ生成部１２０の機能により、前述したような検出した対象人物の呼び掛け名称（愛称）を含む呼び掛け音声メッセージを生成して、当該呼び掛け音声メッセージを音声入出力部１１９を通じて車外用スピーカ１３８に供給し、これにより、検出した検出した対象人物に対する呼び掛けを実行して、対象人物に対して注意喚起する（ステップＳ７２）。
【０１１０】
そして、制御部１０１は、この実施形態では、運転者及び／又は乗車者と、外部の検出した対象人物との会話を可能にするように、音声入出力部１１９を制御する（ステップＳ７３）。これにより、運転者及び／又は乗車者は、必要な伝言をしたり、乗車中の人数が乗車定員未満であるときには検出した対象人物に乗車を促したりする会話をすることができる。そして、当該乗車の促しに応じて検出された対象人物が乗車を希望した場合には、運転者はドアの開閉指示をして、その乗車を可能にする。また、検出した対象人物に対して単に伝言をしたいだけであったり、乗車中の人数が乗車定員と同数であった場合には、運転者は、検出した対象人物に対しては乗車を促すことなく、自車を発進させるようにする。
【０１１１】
そこで、制御部１０１は、ドアの開閉指示を受けたか否か判別し（ステップＳ７４）、ドアの開閉指示を受けたと判別したときには、ドア開閉駆動部１１８を駆動制御してドアを開閉すると共に、対象人物の乗車をカメラ群１０７の内の車外及び／又は車内を撮影するカメラの撮影画像から確認する（ステップＳ７５）。この乗車の確認のための画像認識は、確認認証部１１７が備えている画像認識機能を用いて行われる。
【０１１２】
そして、ステップＳ７４でドアの開閉指示を受けてはいないと判別したとき、また、ステップＳ７５の次には、制御部１０１は、運転者により自車の走行スタート操作、つまり、アクセル操作がなされたか否か判別する（ステップＳ７６）。このステップＳ７６で、運転者によりアクセル操作がなされたと判別したときには、制御部１０１は、運転モードを、通常自動運転モードの状態から手動運転モードに切り替えて、走行を開始する（ステップＳ７７）。そして、このステップＳ７７の次には、制御部１０１は、処理を図６のステップＳ５５に戻し、歩容認識による対象人物の検出処理を再開させ、このステップＳ５５以降の処理を繰り返す。
【０１１３】
なお、この実施形態では、ドアの開閉を自動運転車の制御部１０１が自動で行うことができるように構成したので、上述のようなドアの開閉制御を行うようにしたが、制御部１０１は、ドアの施錠制御のみを行うようにして、乗車しようとする者や乗車中の者によりドアを開閉させるようにしても勿論よい。その場合の、ドアの施錠解除は、運転者や乗車中の者の指示に基づいて制御部１０１が行うか、あるいは、後述するように、乗車しようとする人物についての対象人物であるかどうかの確認認証の結果に基づいて制御部１０１が行うようにする。
【０１１４】
また、ステップＳ７６で、運転者によるアクセル操作はなされていないと判別したときには、制御部１０１は、通常自動運転モードにおける走行開始指示を受けたか否か判別する（ステップＳ７８）。このステップＳ７８で、通常自動運転モードにおける走行開始指示を受けてはいないと判別したときには、制御部１０１は、処理をステップＳ７６に戻し、このステップＳ７６以降の処理を繰り返す。
【０１１５】
そして、ステップＳ７８で、通常自動運転モードにおける走行開始指示を受けたと判別したときには、制御部１０１は、通常自動運転モードにより走行を開始するように制御する（ステップＳ７９）。そして、制御部１０１は、このステップＳ７９の次には、図１０のステップＳ１０１に移行して、後述する通常自動運転モードでの歩容認識による対象人物の検出処理を行う。
【０１１６】
次に、図６のステップＳ５７において、事前設定は、無条件停止ではないと判別したときには、制御部１０１は、「停止は乗車定員を考慮する」と事前設定されているか否か判別する（図８のステップＳ８１）。このステップＳ８１で、「停止は乗車定員を考慮する」と事前設定されていると判別したときには、制御部１０１は、乗車人数をカメラ群１０７の内の車内を撮影するカメラの撮影画像から確認し、乗車人数は定員未満であるか否か判別する（ステップＳ８２）。
【０１１７】
このステップＳ８２で、乗車人数は定員未満ではない（乗車人数は定員）と判別したときには、制御部１０１は、その後の処理は、運転者の操作に従うこととする（ステップＳ８９）。この場合に、制御部１０１は、音声メッセージ生成部１２０において、「定員がオーバーしますので、検出した対象人物を乗車させることはできません。停止させる場合は、手動運転でお願いします」という音声メッセージを生成して、車内用スピーカ１３７を通じて放音するようにしてもよい。
【０１１８】
この音声メッセージを受けた運転者及び／又は乗車者は、検出した対象人物を乗車させることができないが、伝言をする等の必要がある場合には、手動運転モードにおける運転操作（ブレーキ操作）により自車を停止して、検出した対象人物に伝言をする等の必要な動作を行うことができる。また、運転者及び／又は乗車者は、伝言等がなくて、停止する必要はないと判断した場合には、手動運転モードにおける運転操作により、検出した対象人物の近傍で停止することなく、通過するようにすることもできる。なお、自動運転モードであっても、伝言等するために一時停止するとの事前設定をしておけば、乗車人数が定員か定員未満かにかかわらず、検出した対象人物の近傍で一時停止して、伝言等をし、自動運転を継続することができる。
【０１１９】
このステップＳ８９の次には、制御部１０１は、処理を図６のステップＳ５５に戻し、このステップＳ５５以降の処理を繰り返す。
【０１２０】
そして、ステップＳ８１で、「停止は乗車定員を考慮しない」と事前設定されていると判別したとき、また、ステップＳ８２で、乗車人数は定員未満であると判別したときには、制御部１０１は、「運転者及び／又は乗車者に対して問い合わせて停止する」ことが事前設定されているか否か判別する（ステップＳ８３）。このステップＳ８３で、「運転者及び／又は乗車者に対して問い合わせて停止する」ことが事前設定されていると判別したときには、制御部１０１は、運転者及び／又は乗車者に対して検出した対象人物の近傍で停止する否かを問い合わせる音声メッセージを音声メッセージ生成部１２０で生成し、生成した音声メッセージを音声入出力部１１９を通じ、車内用スピーカ１３７を通じて放音して問い合わせを実行する（ステップＳ８４）。
【０１２１】
次に、制御部１０１は、この問い合わせに対して停止するとの回答を得たか否か判別する（ステップＳ８５）。この問い合わせに対する運転者及び／又は乗車者からの回答の判別は、確認認証部１１７の音声認識機能により車内用マイクロフォン１３９で収音した音声を音声認識したり、運転者及び／又は乗車者によるタッチパネル１１２を通じて操作入力を監視することでなされる。
【０１２２】
このステップＳ８５で、運転者及び／又は乗車者から停止しないとの回答を得たときには、制御部１０１は、処理をステップＳ８９に移行して、その後の処理は、運転者及び／又は乗車者の操作に従うこととする。この場合に、制御部１０１は、音声メッセージ生成部１２０において、「停止させる場合は、手動運転でお願いします」という音声メッセージを生成して、車内用スピーカ１３７を通じて放音するようにしてもよい。
【０１２３】
そして、ステップＳ８３で、「運転者及び／又は乗車者に対して問い合わせて停止する」ことは事前設定されてはないと判別したとき、また、ステップＳ８５で、運転者及び／又は乗車者から停止するとの回答を得たときには、制御部１０１は、運転モードを手動運転モードから強制自動運転モードに切り替えて停止することを運転者及び／又は乗車者に報知し（ステップＳ８６）、その後、手動運転モードから強制自動運転モードへの切り替え及び検出した対象人物の近傍で自車を停止させるようにする制御を実行する（ステップＳ８７）。
【０１２４】
次に、制御部１０１は、自車が停止したか否かを判別し（ステップＳ８８）、停止していないと判別したときには、処理をステップＳ８７に戻し、停止制御を実行する。そして、ステップＳ８８で、自車が停止したと判別したときには、制御部１０１は、強制自動運転モードを解除して、運転モードを通常自動運転モードに切り替える（図９のステップＳ９１）。
【０１２５】
次に、制御部１０１は、音声メッセージ生成部１２０で、前述したような検出した対象人物の呼び掛け名称（愛称）を含む呼び掛け音声メッセージを生成して、当該呼び掛け音声メッセージを音声入出力部１１９を通じ、車外用スピーカ１３８を通じて放音し、これにより、検出した検出した対象人物に対する呼び掛けを実行して、注意喚起する（ステップＳ９２）。
【０１２６】
そして、制御部１０１は、乗車人数が定員未満であるか否か判別し（ステップＳ９３）、乗車人数が定員であるときには、処理を図７のステップＳ７６に移行し、このステップＳ７６以降の処理を実行する。この際に、制御部１０１は、音声メッセージ生成部１２０で、例えば「定員がオーバーしますので、検出した対象人物を乗車させることはできません。用事が済んだ後には、発進操作あるいは発進合図をお願いします」という音声メッセージを生成して、車内用スピーカ１３７を通じて放音するようにしてもよい。なお、発進操作は、手動運転モードでの発進用であり、発進合図は通常自動運転モードでの発進用となる。
【０１２７】
ステップＳ９３で、乗車人数は定員未満であると判別したときには、制御部１０１は、音声メッセージ生成部１２０で、自車の外部に居る検出した対象人物に対して乗車を希望するか否かの問い合わせの音声メッセージを生成して、生成した音声メッセージを音声入出力部１１９を通じ、スピーカ１３８を通じて放音し、これにより、検出した検出した対象人物に対して問い合わせを行う（ステップＳ９４）。
【０１２８】
次に、制御部１０１は、この問い合わせに対する車外の対象人物からの回答を受けて、乗車希望であるか否かを判断する（ステップＳ９５）。この問い合わせに対する対象人物からの回答の判別は、確認認証部１１７の音声認識機能により車外用マイクロフォン１４０で収音した音声を音声認識することでなされる。
【０１２９】
このステップＳ９５で、対象人物は乗車希望ではないと判別したときには、制御部１０１は、処理を図７のステップＳ７６に移行させ、前述したステップＳ７６以降の処理を実行する。
【０１３０】
また、ステップＳ９５で、対象人物は乗車希望していると判別したときには、制御部１０１は、対象人物から確認認証用の情報を取得して、確認認証を実行する（ステップＳ９６）。すなわち、制御部１０１は、検出した対象人物についての確認認証用情報を、対象人物情報記憶部１３６から取得して、当該確認認証用情報が顔画像であれば、カメラ群１０７の内の車外カメラにより対象人物の顔画像を撮影して取得し、その取得した顔画像と、対象人物情報記憶部１３６から読み出した対象人物の顔画像とを比較参照して、対象人物の確認認証を行う。この際に、確認認証部１１７が備える画像認識機能が用いられる。また、制御部１０１は、確認認証用情報が発声音声であれば、車外用マイクロフォン１４０で対象人物の発声音声を収音し、その収音した発声音声と、対象人物情報記憶部１３６から読み出した対象人物の発声音声とを比較参照して、対象人物の確認認証を行う。この際に、確認認証部１１７が備える音声認識機能が用いられる。
【０１３１】
次に、制御部１０１は、この確認認証の結果、認証がＯＫであるか否か判別する（ステップＳ９７）。そして、制御部１０１は、確認認証がＯＫであると判別したときには、ドア開閉駆動部１１８を駆動制御してドアを開閉すると共に、対象人物の乗車をカメラ群１０７の内の車外及び／又は車内を撮影するカメラの撮影画像から確認する（ステップＳ９８）。この乗車の確認のための画像認識は、確認認証部１１７が備えている画像認識機能を用いて行われる。また、制御部１０１は、確認認証がＯＫではなくＮＧであると判別したときには、認証ＮＧであるので、乗車を拒否する旨の音声メッセージを音声メッセージ生成部１２０で生成して、その生成した音声メッセージを音声入出力部１１９を通じ、車外用スピーカ１３８を通じて検出した人物に対して報知する（ステップＳ９９）。
【０１３２】
そして、ステップＳ９８の次には、また、ステップＳ９９の次には、制御部１０１は、処理を図７のステップＳ７６に移行させ、前述したステップＳ７６以降の処理を実行する。
【０１３３】
次に、図６のステップＳ５４で、運転モードが通常自動運転モードであると判別したとき、また、図７のステップＳ７９で、通常自動運転モードにより走行を開始したときには、制御部１０１は、歩容認識による対象人物の検出を実行して、対象人物を検出したか否かを判別する（図１０のステップＳ１０１）。このステップＳ１０１で、対象人物を検出してはいないと判別したときには、制御部１０１は、処理を図６のステップＳ５４に戻し、このステップＳ５４以降の処理を繰り返す。
【０１３４】
ステップＳ１０１で、対象人物を検出したと判別したときには、制御部１０１は、運転モードが通常自動運転モードであるので、運転者及び／又は乗車者が存在するか否か判別し（ステップＳ１０２）、運転者及び／又は乗車者が存在すると判別したときには、検出した対象人物の呼び掛け名称（愛称）を対象人物情報記憶部１３６から取得して、検出した対象人物が誰であるかを運転者及び／又は乗車者に報知する（ステップＳ１０３）。
【０１３５】
次に、制御部１０１は、事前設定により、無条件停止が設定されているか否か判別する（ステップＳ１０４）。このステップＳ１０４で、無条件停止が設定されていると判別したときには、制御部１０１は、強制自動運転モードに切り替えて停止することを運転者及び／又は乗車者に報知すると共に、手動運転モードから強制自動運転モードへの切り替え及び検出した対象人物の近傍で自車を停止させるようにする制御を実行する（ステップＳ１０５）。
【０１３６】
次に、制御部１０１は、自車が停止したか否かを判別し（ステップＳ１０６）、停止していないと判別したときには、処理をステップＳ１０５に戻し、停止制御を実行する。そして、ステップＳ１０６で、自車が停止したと判別したときには、制御部１０１は、処理を図９のステップＳ９１に移行して、強制自動運転モードを解除して、運転モードを通常自動運転モードに切り替え、その後、ステップＳ９１以降の処理を実行する。
【０１３７】
そして、ステップＳ１０４で、事前設定は、無条件停止ではないと判別したときには、制御部１０１は、「停止は乗車定員を考慮する」と事前設定されているか否か判別する（ステップＳ１０７）。このステップＳ１０７で、「停止は乗車定員を考慮する」と事前設定されていると判別したときには、制御部１０１は、乗車人数は定員未満であるか否か判別する（ステップＳ１０８）。このステップＳ１０８で、乗車人数は定員未満であると判別したとき、または、ステップＳ１０７で、「停止は乗車定員を考慮する」と事前設定されてないと判別したときには、には、制御部１０１は、処理を図８のステップＳ８３に移行させ、このステップＳ８３以降の処理を実行する。
【０１３８】
また、ステップＳ１０８で、乗車人数は定員未満ではない（乗車人数は定員）と判別したときには、制御部１０１は、音声メッセージ生成部１２０において、「定員がオーバーしますので、検出した対象人物を乗車させることはできません。停止させる場合は、手動運転でお願いします」という音声メッセージを生成して、車内用スピーカ１３７を通じて放音するようにすると共に、通常自動運転モードは継続するようにする（図１１のステップＳ１１１）。
【０１３９】
この音声メッセージを受けた運転者及び／又は乗車者は、検出した対象人物を乗車させることができないが、伝言をする等の必要がある場合には、手動運転モードにおける運転操作（ブレーキ操作）により自車を停止して、検出した対象人物に伝言をする等の必要な動作を行うことができる。また、運転者及び／又は乗車者は、伝言等がなくて、停止する必要はないと判断した場合には、手動運転モードにおける運転操作により、検出した対象人物の近傍で停止することなく、通過することもできる。なお、自動運転モードであっても、伝言等するために一時停止するとの事前設定をしておけば、乗車人数が定員か定員未満かにかかわらず、検出した対象人物の近傍で一時停止して、伝言等をし、自動運転を継続することができる。
【０１４０】
次に、制御部１０１は、手動運転モードへの切替操作を検出したか否かを判別し（ステップＳ１１２）、手動運転モードへの切替操作を検出しないと判別したときには、処理を図１０のステップＳ１０１に戻し、このステップＳ１０１以降の処理を繰り返す。また、ステップＳ１１２で、手動運転モードへの切替操作を検出したと判別したときには、制御部１０１は、運転モードを、通常自動運転モードから手動運転モードに切り替え（ステップＳ１１３）、その後は、運転者の操作に従う処理を行うようにする（ステップＳ１１４）。そして、このステップＳ１１４の次には、制御部１０１は、処理を図６のステップＳ５５に戻し、このステップＳ５５以降の処理を実行するようにする。
【０１４１】
次に、図１０のステップＳ１０２で、運転者及び／又は乗車者は存在せず、無人運転中であると判別したときには、制御部１０１は、通常自動運転モードのままで、検出した対象人物の近傍で自車を停止させるようにする制御を実行する（図１２のステップＳ１２１）。つまり、通常自動運転モードにおける無人運転中においては、無条件停止の設定がなされていない場合であっても、常に、検出した対象人物の近傍で停止するようにする。ただし、この場合は、強制自動運転モードに切り替えてもよいが、無人運転中であるので、強制自動運転モードに切り替える必要はなく、通常自動運転モードのままでも良い。
【０１４２】
次に、制御部１０１は、自車が停止したか否かを判別し（ステップＳ１２２）、停止していないと判別したときには、処理をステップＳ１２１に戻し、停止制御を実行する。そして、ステップＳ１２２で、自車が停止したと判別したときには、制御部１０１は、音声メッセージ生成部１２０で、前述したような検出した対象人物の呼び掛け名称（愛称）を含む呼び掛け音声メッセージを生成して、当該呼び掛け音声メッセージを音声入出力部１１９を通じ、車外用スピーカ１３８を通じて放音し、これにより、検出した検出した対象人物に対する呼び掛けを実行して、注意喚起する（ステップＳ１２３）。
【０１４３】
次に、制御部１０１は、音声メッセージ生成部１２０で、自車の外部に居る検出した対象人物に対して乗車を希望するか否かの問い合わせの音声メッセージを生成して、生成した音声メッセージを音声入出力部１１９を通じ、車外用スピーカ１３８を通じて放音し、これにより、検出した対象人物に対して乗車を希望するか否かの問い合わせを行う（ステップＳ１２４）。
【０１４４】
次に、制御部１０１は、この問い合わせに対する車外の対象人物からの回答を受けて、乗車希望であるか否かを判断する（ステップＳ１２５）。この問い合わせに対する対象人物からの回答の判別は、確認認証部１１７の音声認識機能により車外用マイクロフォン１４０で収音した音声を音声認識することでなされる。
【０１４５】
このステップＳ１２５で、対象人物は乗車希望ではないと判別したときには、制御部１０１は、通常自動運転モードで走行を開始し（ステップＳ１３０）、その後、処理を図１０のステップＳ１０１に移行させて、このステップＳ１０１以降の処理を実行する。
【０１４６】
また、ステップＳ１２５で、対象人物は乗車希望していると判別したときには、制御部１０１は、対象人物から確認認証用の生体情報等の情報を取得して、確認認証を実行する（ステップＳ１２６）。すなわち、制御部１０１は、検出した対象人物についての確認認証用情報を、対象人物情報記憶部１３６から取得して、当該確認認証用情報が顔画像であれば、カメラ群１０７の内の車外カメラにより対象人物の顔画像を撮影して取得し、その取得した顔画像と、対象人物情報記憶部１３６から読み出した対象人物の顔画像とを比較参照して、対象人物の確認認証を行う。この際に、確認認証部１１７が備える画像認識機能が用いられる。また、制御部１０１は、確認認証用情報が発声音声であれば、車外用マイクロフォン１４０で対象人物の発声音声を収音し、その収音した発声音声と、対象人物情報記憶部１３６から読み出した対象人物の発声音声とを比較参照して、対象人物の確認認証を行う。この際に、確認認証部１１７が備える音声認識機能が用いられる。
【０１４７】
次に、制御部１０１は、この確認認証の結果、認証がＯＫであるか否か判別する（ステップＳ１２７）。そして、制御部１０１は、確認認証がＯＫであると判別したときには、ドア開閉駆動部１１８を駆動制御してドアを開閉すると共に、対象人物の乗車をカメラ群１０７の内の車外及び／又は車内を撮影するカメラの撮影画像から確認する（ステップＳ１２８）。この乗車の確認のための画像認識は、確認認証部１１７が備えている画像認識機能を用いて行われる。また、制御部１０１は、確認認証がＯＫではなくＮＧであると判別したときには、認証ＮＧであるので、乗車を拒否する旨の音声メッセージを音声メッセージ生成部１２０で生成して、その生成した音声メッセージを音声入出力部１１９を通じ、車外用スピーカ１３８を通じて検出した人物に対して報知する（ステップＳ１２９）。
【０１４８】
そして、ステップＳ１２８の次には、また、ステップＳ１２９の次には、制御部１０１は、通常自動運転モードで走行を開始し（ステップＳ１３０）、その後、処理を図１０のステップＳ１０１に移行させて、このステップＳ１０１以降の処理を実行する。
【０１４９】
［実施形態の自動運転車による歩容認識による対象人物の検出処理動作の一態様］
次に、この実施形態の自動運転車１による歩容認識による対象人物の検出処理動作態様の一例について、図１３を参照して説明する。この例は、対象人物を発見したら、自動運転車１は、その近傍で停止して、乗車を問い合わせるとした場合である。
【０１５０】
図１３（Ａ）示すように、この実施形態の自動運転車１が走行しているときに、対象人物情報記憶部１３６に記憶されている対象人物としての一人である人物２が、自動運転車１の前方を歩いていたとする。このとき、自動運転車１において、当該人物２が歩容認識の検出対象として設定されていて、かつ、歩容認識による検出処理が実行されているとすると、自動運転車１が、図１３（Ａ）に示すように、人物２との距離Ｌが例えば４０〜５０メートル程度に近づくと、自動運転車１の制御部１０１は、当該人物２を、歩容認識による検出対象の人物として検知する。もちろん、４０〜５０メートル程度より長くてもよいし、短くてもよいし、自動運転車の走行速度により可変とすることもできる。つまり、走行速度が速い場合は、より遠方から歩容認識を開始する。
【０１５１】
このとき、自動運転車１に運転者及び／又は乗車者が存在している場合には、制御部１０１は、前述したように、当該人物２の検知を運転者及び／又は乗車者に報知する。そして、無条件停止が設定されているとき、あるいは、問い合わせにより運転者及び／又は乗車者により停止が指示されたときには、自動運転車１は、図１３（Ａ）の実線矢印で示すように、当該人物２の傍に近づいて、図１３（Ｂ）に示すように停止する。
【０１５２】
そして、自動運転車１の制御部１０１は、人物２に対して呼び掛けを行って、停止中の自動運転車１の存在を注意喚起する。更に、自動運転車１の制御部１０１は、人物２に対して乗車するか否かの問い合わせを行い、その問い合わせに対して人物２から乗車するとの回答を得たときには、当該人物２を自動運転車１に乗車させるようにする。
【０１５３】
以上のようにして、この実施形態の自動運転車１によれば、歩容認識の技術を用いることで、自車が備えているカメラの撮影画像から、予め登録して記憶している対象人物が自車の走行方向の前方を歩行しているときに、それを検出することができ、その検出結果に応じて、自車を検出した対象人物の近傍に停止させ、乗車を促すことができ、非常に便利である。
【０１５４】
［他の実施形態］
上述の実施形態の自動運転車１は、歩容認識による対象人物の検出及び判別の機能を自車が備えるようにしたが、インターネットなどの通信ネットワークを通じたサーバ装置に歩容認識による対象人物の検出及び判別の機能を設けて、当該サーバ装置と協働することで、歩容認識による対象人物の検出及び判別を行うように構成してもよい。
【０１５５】
図１４は、そのように構成した場合の自動運転車１Ａとサーバ装置３とからなるシステムの構成の要部を説明するための図である。図１４に示すように、この例では、自動運転車１Ａとサーバ装置３とは、通信ネットワークの例としてのインターネット４を通じて互いに無線接続することができるように構成される。
【０１５６】
この例の自動運転車１Ａの電子制御回路部１０Ａは、図１４に示すように、制御部１０１Ａに対して、システムバス１００を通じて、サーバ装置３とインターネット４を通じて無線接続するための無線通信部１２１と、無線送信情報生成部１２２と、無線受信情報処理部１２３とが接続される。そして、図１４では図示は省略するが、この例の自動運転車１Ａの電子制御回路部１０Ａには、上述した実施形態の自動運転車１の電子制御回路部１０における対象人物情報登録部１１４、歩容認識判別部１１５、確認認証部１１７及び対象人物情報記憶部１３６は設けられない。
【０１５７】
その代わりに、サーバ装置３においては、制御部３１に対して、システムバス３０を通じて、対象人物情報登録部３２、歩容認識判別部３３、確認認証部３４が接続されると共に、対象人物情報記憶部３５が、対象人物情報登録部３２、歩容認識判別部３３及び確認認証部３４と接続されて設けられる。更に、システムバス３０には、インターネット４を通じて自動運転車１Ａと接続するための無線通信部３６が接続されている。
【０１５８】
サーバ装置３の対象人物情報記憶部３５には、図３に示した対象人物情報記憶部１３６に記憶される情報と同様の情報が記憶される。ただし、この例の場合には、自動運転車１Ａのそれぞれには識別情報が付与されており、その自動運転車１Ａの識別情報により、サーバ装置３の対象人物情報記憶部３５においては、識別情報で区別される記憶エリアに、自動運転車１Ａのそれぞれ毎の対象人物情報が記憶されている。
【０１５９】
すなわち、対象人物情報の登録に当たっては、この例の場合には、自動運転車１Ａのカメラ群１０７のカメラで撮影された対象人物の撮影画像情報が、無線送信情報生成部１２２で自車の識別情報を含めた無線送信情報とされて、無線通信部１２１を通じ、インターネット４を通じてサーバ装置３に送られる。
【０１６０】
サーバ装置３では、無線通信部３６で当該自動運転車１Ａからの送信情報を受信し、対象人物情報登録部３２で対象人物の歩容情報が抽出される。そして、抽出された歩容情報は、図３に示したものと同様にして、自動運転車１Ａの識別情報に対応した記憶エリアに、対象人物情報として登録される。また、対象人物の確認認証用情報も、自動運転車１Ａからサーバ装置３に無線送信され、対象人物情報登録部３２により対象人物情報記憶部３５の自動運転車１Ａの識別情報に対応した記憶エリアに、図３に示したものと同様にして記憶される。
【０１６１】
そして、この例の場合には、自動運転車１Ａは、走行中に歩容認識による対象人物の検出処理が実行するように指定されているときには、カメラ群１０７の外部撮影用カメラの撮影画像情報が、無線送信情報生成部１２２で自車の識別情報を含めた無線送信情報とされて、無線通信部１２１を通じ、インターネット４を通じてサーバ装置３に送られる。
【０１６２】
サーバ装置３では、無線通信部３６で当該自動運転車１Ａからの送信情報を受信し、歩容認識判別部３３で歩容認識及び対象人物の判別を行い、その判別結果を無線通信部３６を通じ、インターネット４を通じて自動運転車１Ａに送信する。
【０１６３】
自動運転車１Ａは、無線通信部１２１でサーバ装置３からの情報を受信し、無線受信情報処理部１２３で、歩容認識判別部３３の判別結果を解析し、対象人物を検出したか否かを判断するようにする。そして、自動運転車１Ａの歩容認識判別結果対応処理部１１６（制御部１０１Ａ）は、無線受信情報処理部１２３の判断結果に応じて、上述の実施形態と同様の処理を実行するようにする。
【０１６４】
確認認証処理についても同様であり、自動運転車１Ａから無線送信された確認認証用情報を用いて、サーバ装置３の確認認証部３４で確認認証がなされる。そして、サーバ装置３ｇは、その認証結果を自動運転車１Ａに送信する。自動運転車１Ａでは、無線受信情報処理部１２３で、確認認証結果を解析し、その解析結果に基づいて、制御部１０１Ａは、上述した確認認証結果に応じた処理を行う。その他の構成は、この例においても、上述の実施形態と同様の構成とされる。
【０１６５】
この例の場合の自動運転車１Ａは、歩容認識に関する処理は、サーバ装置３で担う構成であるので、制御部１０１Ａは、その分の負荷が少なくなり、自動運転などの運転制御に集中することができるという効果がある。
【０１６６】
［その他の実施形態又は変形例］
上述の実施形態では、検出した対象人物を乗車させるときに、当該対象人物について確認認証を行うようにしたが、歩容認識による認識精度は高く、しかも、この実施形態では、歩容認識補助情報をも用いるようにしており、認識率は９９％となることが報告されているので、この確認認証は省略してもよい。
【０１６７】
また、上述の実施形態では、検出した対象人物に対して注意を喚起するときには、当該対処人物の呼び掛け名称（愛称）を含む呼びかけ音声を送出するようにした。しかし、呼びかけ音声ではなく、クラクションを鳴動させる、注意喚起音を放音するなどによる注意喚起であってもよい。また、呼びかけ音声を送出するのではなく、対象人物の携帯電話端末の電話番号やメールアドレスを記憶しておき、その電話番号に電話をして、「あなたを乗車させるべく、近くに停止しています」という音声メッセージを携帯電話により通知してもよいし、そのメールアドレスに「あなたを乗車させるべく、近くに停止しています」というメールを送ってもよいし、さらに停止位置のＧＰＳ情報も合わせて送ってもよい。もちろん、メールに限らずＬＩＮＥ等の通信アプリでもよい。これらの場合には、自動車には、携帯電話の機能を搭載しておくようにして、運転者及び／又は乗車者が携帯電話機能で通話することができるようにしてもよいし、自動車が例えばＡＩ（Artificial Intelligence;人工知能）機能や、自動音声により検出した対象人物と通話をする機能を備えるように構成してもよい。このような構成の場合、家族構成員やグループ構成員等、車外にいる人物からの連絡で歩容認識の対象人物に設定することもできる。この場合、現在地もわかるため、その周辺に行った場合には念入りに歩容認識をすることもできる。
【０１６８】
なお、上述の実施形態では、自動車を走行中に、ついでに歩容認識することで対象人物を偶然に検出することを想定するようにしたが、対象人物を念入りに丁寧に探すモード（探索モードや注視モード）を、別途設けるようにしてもよい。この探索モードや注視モードを、例えば、家族の帰宅時間帯や退社時間帯において駅周辺を走行するときに設定すれば、当該家族を対象人物として検出することができる確率を上げることができる。この場合の探索モードや注視モードにおいては、駅周辺など、同一の場所を周回するなどの走行を行う。また、対象人物の行動予定表（スケジュール）を事前に登録しておき、自動運転車に予定時間に予定場所を周回させ、対象人物を見つけやすくしてもよい。例えば、対象人物の通勤時間帯や通学時間帯に最寄り駅周辺を自動運転車に周回させるようにする。
【０１６９】
また、上述の実施形態では、電気自動車の場合について説明したが、この発明の自動車は、電気自動車に限られるものではなく、例えば、ガソリンエンジン車、ジーゼルエンジン車などであってもよい。さらに、自動車に限らず、オートバイ等の自動２輪や電動自転車、電動車椅子にも適用可能である。
【０１７０】
また、上述の実施形態では自動運転車の場合について説明したが、この発明は、自動運転モードを有せず、手動運転モードしか有しない通常の自動車にも適用できる。また、自動運転モードしか有しない自動運転車であっても適用可能であることは言うまでもない。
【０１７１】
また、この発明による自動車は、陸上のみではなく空中の移動（航行）することができる空陸両用車（空飛ぶ自動車）にも適用できる。図１５は、この発明による自動車の実施形態としての空陸両用車１ＡＬの外観の一例と、この実施形態の空陸両用車１ＡＬにより対象人物２を歩容認識により検出する態様の例を説明するための図であり、特に、実施形態の空陸両用車１ＡＬが空中を移動（航行）しながら、対象人物２を歩容認識により検出する態様の一例である。
【０１７２】
この実施形態の空陸両用車１ＡＬは、上述した実施形態の自動運転車１と同様に、自車の外部の見通しエリアを撮影する１又は複数のカメラを備えると共に、歩容認識の対象とする対象人物を登録する機能や、カメラの撮影画像に基づいて歩容認識を行い、対象人物を検出する歩容認識判別機能、及び歩容認識判別結果対象処理機能を備えている。
【０１７３】
そして、この実施形態の空陸両用車１ＡＬは、陸上を走行する陸上モードと、空中を移動（航行）する空中モードとを備えており、モードの違いにより、歩容認識のための登録、歩容認識判別及び認識判別結果対応処理が異なるように構成されている。
【０１７４】
すなわち、陸上モードのための対象人物の歩容情報の登録は、前述の実施形態の自動運転車１の場合と同様に、自車の走行方向の前方を撮影するカメラで対象人物を撮影し、その撮影情報から対象人物の歩容情報を抽出して、記憶部に記憶することでなされる。一方、空中モードのための対象人物の歩容情報の登録は、空陸両用車１ＡＬが空中に存在する状態で、対象人物の歩行を、斜め下方を撮影するカメラで撮影し、その撮影情報から対象人物の歩容情報を抽出して記憶するようにする。
【０１７５】
そして、この実施形態の空陸両用車１ＡＬは、陸上モードのときには、上述の実施形態と同様に、自車の走行方向の前方のカメラを用いて撮影した撮影画像と、陸上モード用の歩容情報とから、対象人物の歩容認識判別を行う。また、空中モードのときには、空中に存在する空陸両用車１ＡＬの斜め下方を撮影するカメラを用いて撮影した撮影画像と、空中航行モード用の歩容情報とから、対象人物の歩容認識を行う。
【０１７６】
そして、この実施形態の空陸両用車１ＡＬは、陸上モードにおいては、対象人物を歩容認識により検出したときには、上述した実施形態の自動運転車１と同様の歩容認識判別結果対応処理を行う。これに対して、空中モードにおいては、着陸して陸上モードに切り替えて歩容認識判別結果対応処理を行うようにしてもよいが、検出した対象人物に問い合わせをして乗車を拒否された場合には、陸上モードへ切り替えて、当該陸上モードにおける歩容認識判別結果対応処理が無駄になり、非効率である。
【０１７７】
そこで、この例では、空中に居る空陸両用車１ＡＬは、予め登録情報に含められて記憶されている対象人物の携帯電話番号を用いて、対象人物の携帯電話端末と無線通信路を生成して、乗車するか否かの問い合わせを行うようにし、その問い合わせの結果に基づいて、着陸して陸上モードに切り替えて当該対象人物を乗車させるか、あるいは、そのまま空中モードによる空中移動（航行）を継続するかを決定するようにする。
【０１７８】
すなわち、携帯電話での問い合わせの結果、対象人物が乗車するとの回答をしたときには、空陸両用車１ＡＬは、自車を着陸させて陸上モードに切り替え、検出した対象人物の近傍で停止し、確認認証を行って、対象人物を乗車させるようにする。また、携帯電話での問い合わせにより、対象人物が乗車を拒否したり、対象人物を乗車させる必要ないときには、空陸両用車１ＡＬは、自車を、そのまま空中モードを継続させて、空中移動（航行）を継続するようにする。
【０１７９】
なお、対象人物に対する問い合わせのための無線通信路は、携帯電話端末に限られるものではなく、その他の無線通信端末であってもよく、その場合には、その無線通信端末と空陸両用車１ＡＬとの間で無線通信路を生成するための接続用情報が対象人物の登録情報に含められて記憶されるものである。
【０１８０】
無線通信路を介して対象人物が携帯する携帯電話端末や無線通信端末と、空陸両用車１ＡＬとが通信可能となっている場合は、空陸両用車１ＡＬからの問合せのみならず、対象人物が携帯電話端末や無線通信端末を用いて乗車希望要求を空陸両用車１ＡＬに無線送信し、歩容認識を依頼することもできる。この場合に、空陸両用車１ＡＬには、対象人物の識別情報に歩容情報が対応付けられて記憶されているのは、上述の実施形態と同様である。
【０１８１】
そして、この場合に、対象人物から無線送信される乗車希望要求には、対象人物の識別情報と、対象人物の現在位置の情報とが含められると共に、対象人物により入力指定される現在位置からどこに向かうかの情報（経由地や目的地の情報）が含められる。現在位置の情報は、対象人物が携帯する携帯電話端末や無線通信端末にＧＰＳ（Global  Positioning  System）機能が搭載されていれば、そのＧＰＳ情報を用いることができる。
【０１８２】
そして、乗車希望要求を受信した空陸両用車１ＡＬは、乗車希望要求に含まれる識別情報から、対象人物を特定し、現在位置の情報と、現在位置からどこに向かうかの情報（経由地や目的地の情報）から対象人物の移動経路を考慮しつつ、自車が対象人物と遭遇するであろう位置を推定し、その推定する位置の近傍に到着したら、その位置近傍において歩容認識を重点的に行うようにする。なお、現在位置の情報と、現在位置からどこに向かうかの情報（経由地や目的地の情報）から対象人物の移動経路は、空陸両用車１ＡＬが備えるカーナビ機能部の経路探索機能により検出して把握することができる。
【０１８３】
なお、この対象人物側から乗車希望要求を無線送信する態様は、空陸両用車１ＡＬに限らず、上述の実施形態の自動運転車などの自動車や、自動２輪車、その他の自動車でも同様に構成できる。
【符号の説明】
【０１８４】
１…自動運転車、３…サーバ装置、４…インターネット、１０…電子制御回路部、１０１…制御部、１１４…対象人物情報登録部、１１５…歩容認識判別部、１１６…歩容認識判別結果対応処理部、１１７…確認認証部、１１８…ドア開閉駆動部、１１９…音声入出力部、１２０…音声メッセージ生成部、１２１…無線通信部
【図１】
2020107145.tif 000003
【図２】
2020107145.tif 000004
【図３】
2020107145.tif 000005
【図４】
2020107145.tif 000006
【図５】
2020107145.tif 000007
【図６】
2020107145.tif 000008
【図７】
2020107145.tif 000009
【図８】
2020107145.tif 000010
【図９】
2020107145.tif 000011
【図１０】
2020107145.tif 000012
【図１１】
2020107145.tif 000013
【図１２】
2020107145.tif 000014
【図１３】
2020107145.tif 000015
【図１４】
2020107145.tif 000016
【図１５】
2020107145.tif 000017